(57)【要約】      （修正有）【課題】シグナリングの負荷が軽く、遅延が短かく、リソース稼動率が高い無線ベアラの処理方法、ユーザ機器及び基地局を提供する。【解決手段】方法は、第１の基地局がユーザ機器によって送信された中断指示を受信するステップと、中断指示に従ってユーザ機器が第２の基地局上のベアラのデータ送信を中断すると第１の基地局が判断するステップと、第１の基地局により中断指示を受信した後に、第１の基地局が第２の基地局上のベアラのデータ送信が再開される必要があると判断するステップと、ユーザ機器への再開コマンドと第２の基地局への第２の再開要求を第１の基地局から送信するステップと、を含む。再開コマンドは、第２の基地局上のベアラのデータ送信を再開するようにユーザ機器に命令するために使用される。第２の再開要求は、第２の基地局上のベアラのデータ送信を再開するように第２の基地局に要求するために使用される。【選択図】図４
2019115062.tif 000002
【特許請求の範囲】
【請求項１】
無線ベアラの処理方法であって、
第1の基地局により、ユーザ機器によって送信された中断指示を受信するステップと、
前記第1の基地局により、前記中断指示に従って、前記ユーザ機器が第2の基地局上のベアラのデータ送信を中断すると判断するステップと
を含み、
第1の基地局により、ユーザ機器によって送信された中断指示を受信する前記ステップの後に、
前記第1の基地局により、前記第2の基地局上の前記ベアラの前記データ送信が再開される必要があると判断するステップと、
前記第1の基地局により、前記ユーザ機器に再開コマンドを送信し、前記第2の基地局に第2の再開要求を送信するステップであって、前記再開コマンドが、前記第2の基地局上の前記ベアラの前記データ送信を再開するように前記ユーザ機器に命令するために使用され、前記第2の再開要求が、前記第2の基地局上の前記ベアラの前記データ送信を再開するように前記第2の基地局に要求するために使用される、ステップと
をさらに含む、方法。
【請求項２】
前記第1の基地局により、前記ユーザ機器に再開コマンドを送信する前記ステップであって、前記再開コマンドが、前記第2の基地局上の前記ベアラの前記データ送信を再開するように前記ユーザ機器に命令するために使用される、前記ステップが、
前記第1の基地局により、前記ユーザ機器に前記再開コマンドを送信するステップであって、前記再開コマンドが、前記ユーザ機器内の無線リンク制御エンティティ（s-RLC）を再確立し、前記s-RLCを再開するように前記ユーザ機器に命令するために使用され、前記s-RLCが、前記ベアラと関連付けられ、前記第2の基地局に対応する、ステップ
を含む、請求項1に記載の方法。
【請求項３】
前記第1の基地局により、前記第2の基地局に第2の再開要求を送信する前記ステップであって、前記第2の再開要求が、前記第2の基地局上の前記ベアラの前記データ送信を再開するように前記第2の基地局に要求するために使用される、前記ステップが、
前記第1の基地局により、前記第2の基地局に前記第2の再開要求を送信するステップであって、
前記第2の再開要求が、以下の動作：
前記第2の基地局内の無線リンク制御エンティティ（ps-RLC）を再確立し、前記ps-RLCを再開することであって、前記ps-RLCが前記ベアラと関連付けられる、再開すること
を実行するように前記第2の基地局に要求するために使用されるか、または
前記第2の再開要求が、以下の動作：
前記第2の基地局内の媒体アクセス制御エンティティ（ps-MAC）をリセットすることであって、前記ps-MACが前記ベアラと関連付けられる、リセットすること、および
前記第2の基地局内の無線リンク制御エンティティ（ps-RLC）を再確立し、前記ps-RLCを再開することであって、前記ps-RLCが前記ベアラと関連付けられる、再開すること
を実行するように前記第2の基地局に要求するために使用される、ステップ
を含む、請求項1に記載の方法。
【請求項４】
第1の基地局であって、
ユーザ機器によって送信された中断指示を受信するように構成された受信モジュールと、
前記中断指示に従って、前記ユーザ機器が第2の基地局上のベアラのデータ送信を中断すると判断するように構成された処理モジュールと、
前記第2の基地局上の前記ベアラの前記データ送信が再開される必要があると判断するように構成された判断モジュールと、
前記ユーザ機器に再開コマンドを送信し、前記第2の基地局に第2の再開要求を送信するように構成された送信モジュールであって、前記再開コマンドが、前記第2の基地局上の前記ベアラの前記データ送信を再開するように前記ユーザ機器に命令するために使用され、前記第2の再開要求が、前記第2の基地局上の前記ベアラの前記データ送信を再開するように前記第2の基地局に要求するために使用される、送信モジュールと
を備える、第1の基地局。
【請求項５】
前記送信モジュールが、具体的に、
前記ユーザ機器に前記再開コマンドを送信することであって、前記再開コマンドが、前記ユーザ機器内の無線リンク制御エンティティ（s-RLC）を再確立し、前記s-RLCを再開するように前記ユーザ機器に命令するために使用され、前記s-RLCが、前記ベアラと関連付けられ、前記第2の基地局に対応する、送信すること
を行うように構成される、請求項4に記載の第1の基地局。
【請求項６】
前記送信モジュールが、具体的に、
前記第2の基地局に前記第2の再開要求を送信することであって、前記第2の再開要求が、以下の動作：
前記第2の基地局内の媒体アクセス制御エンティティ（ps-MAC）をリセットすることであって、前記ps-MACが前記ベアラと関連付けられる、リセットすること、および
前記第2の基地局内の無線リンク制御エンティティ（ps-RLC）を再確立し、前記ps-RLCを再開することであって、前記ps-RLCが前記ベアラと関連付けられる、再開すること
を実行するように前記第2の基地局に要求するために使用される、送信すること
を行うように構成される、請求項4に記載の第1の基地局。
【請求項７】
基地局のプロセッサに、請求項1から3のいずれか一項に記載の方法を実行させるプログラム。
【発明の詳細な説明】
【技術分野】
【０００１】
本発明は、ワイヤレス通信技術の分野に関し、詳細には、無線ベアラの処理方法、ユーザ機器、および基地局に関する。
【背景技術】
【０００２】
ロングタームエボリューション（Long Term Evolution、以下略してLTE）では、より高い無線ベアラのピークレートに対するユーザの需要を満たすために、2つのタイプの無線ベアラ（Radio Bearer、以下略してRB）が提供され、一方はマスタセルグループ（Master Cell Group、以下略してMCG）ベアラと呼ばれ、他方はスプリット（Split）ベアラと呼ばれる。Splitベアラは、MCGベアラのピークレートよりも高いピークレートを有する。図1は、MCGベアラおよびSplitベアラのプロトコルスタックアーキテクチャの概略図である。図1は以下を示す。
【０００３】
ユーザ機器（User Equipment、以下略してUE）では、1つのMCGベアラが1つのパケット・データ・コンバージェンス・プロトコル（Packet Data Convergence Protocol、以下略してPDCP）エンティティおよび1つの無線リンク制御（Radio Link Control、以下略してRLC）エンティティと関連付けられる。図1では、PDCPエンティティおよびRLCエンティティは、それぞれ、PDCP1およびm-RLC1によって表され、m-RLC1エンティティは1つの対応する媒体アクセス制御（Medium Access Control、以下略してMAC）エンティティ（m-MAC）と関連付けられ、m-MACエンティティは第1の基地局（Master eNB、以下略してMeNB）に対応する。UE内のプロトコルエンティティは、ネットワーク側にそれらぞれぞれのピアプロトコルエンティティを有し、PDCP1エンティティ、m-RLC1エンティティ、およびm-MACエンティティのピアプロトコルエンティティは、それぞれ、MeNB内のピアp-PDCP1エンティティ、ピアpm-RLC1エンティティ、およびピアpm-MACエンティティである。MCGベアラのすべてのダウンリンクデータパケットは、ピアp-PDCP1エンティティからピアpm-RLC1エンティティに、次いでピアpm-MACエンティティに送信され、次いで、ピアpm-MACエンティティにより、エアインターフェースを介してm-MACエンティティに送信される。次いで、m-MACエンティティは、最終的に、受信されたデータパケットを、m-RLC1エンティティを介してPDCP1エンティティに搬送する。MCGベアラのアップリンクデータパケットの送信経路は、MCGベアラのダウンリンクデータパケットの送信経路と反対である。
【０００４】
UEでは、1つのSplitベアラが、1つのPDCP2エンティティおよび2つのRLCエンティティと関連付けられる。図1では、2つのRLCエンティティは、それぞれ、m-RLC2およびs-RLCによって表され、m-RLC2エンティティはm-MACエンティティと関連付けられ、s-RLCエンティティはs-MACエンティティと関連付けられ、m-MACエンティティは第1の基地局MeNBに対応し、s-MACエンティティは第2の基地局（Secondary eNB、以下略してSeNB）に対応する。UE内のプロトコルエンティティは、ネットワーク側にそれらぞれぞれのピアプロトコルエンティティを有し、PDCP2エンティティ、m-RLC2エンティティ、およびm-MACエンティティのピアプロトコルエンティティは、それぞれ、MeNB内のピアp-PDCP2、ピアpm-RLC2、およびピアpm-MACであり、s-RLCエンティティおよびs-MACエンティティのピアプロトコルエンティティは、それぞれ、SeNB内のピアps-RLCエンティティおよびピアps-MACエンティティである。Splitベアラのダウンリンクデータパケットのうちのいくつかは、ピアp-PDCP2エンティティからピアpm-RLC2エンティティに、次いでピアpm-MACエンティティに送信され、次いで、ピアpm-MACエンティティにより、エアインターフェースを介してm-MACエンティティに送信される。次いで、m-MACエンティティは、最終的に、これらの受信されたデータパケットを、m-RLC2エンティティを介してPDCP2エンティティに搬送する。Splitベアラの他のダウンリンクデータパケットは、ピアp-PDCP2エンティティにより、MeNBとSeNBとの間のインターフェースを介してピアps-RLCエンティティに送信され、ピアps-RLCエンティティは、これらのデータパケットをピアps-MACエンティティに搬送し、次いで、ピアps-MACエンティティは、これらのデータパケットを、エアインターフェースを介してs-MACエンティティに送信する。次いで、s-MACエンティティは、最終的に、これらの受信されたデータパケットを、s-RLCエンティティを介してPDCP2エンティティに搬送する。Splitベアラのアップリンクデータパケットの送信経路は、Splitベアラのダウンリンクデータパケットの送信経路と反対である。
【０００５】
MCGベアラおよびSplitベアラは、チャネル環境における変化およびデータ送信要件などの要因に従って、互いに転換することができる。しかしながら、従来技術では、SplitベアラがMCGベアラに転換する必要があるとき、MeNBは、UEによって送信されたSeNBについての測定報告に従って、UEのSplitベアラをMCGベアラに転換させるべきかどうかを判定し、転換させる場合、UEおよびSeNBに個別に通知する。UEは、Splitベアラのs-MACエンティティおよびs-RLCエンティティを解放する必要があり、SeNBは、Splitベアラのピアps-MACエンティティおよびピアps-RLCエンティティを解放する必要がある。その後、転換後に得られたMCGベアラがSplitベアラに戻る必要があるとき、MeNBは、UEによって送信されたSeNBについての別の測定報告に従って、MCGベアラをSplitベアラに戻すべきかどうかを判定し、戻す場合、UEおよびSeNBに個別に通知し、UEは、ベアラ用のs-MACエンティティおよびs-RLCエンティティを再確立する必要があり、SeNBも、ベアラ用のピアps-MACエンティティおよびピアps-RLCエンティティを再確立する必要がある。
【０００６】
上記の従来方式では、UEとMeNBとの間に比較的大量のエアインターフェースシグナリング対話が存在し、MeNBとSeNBとの間にも比較的大量のバックボーンネットワークシグナリング対話が存在し、それにより、ネットワークのシグナリング負荷が増大し、シグナリング遅延が比較的長くなる。加えて、ベアラに関係するプロトコルエンティティの解放および再確立により、リソース稼働率が比較的低くなる。
【発明の概要】
【課題を解決するための手段】
【０００７】
本発明の実施態様は、無線ベアラの処理方法、ユーザ機器、および基地局を提供して、シグナリング負荷が重くなり、シグナリング遅延が比較的長くなり、リソース稼働率が比較的低いという、既存のベアラ処理方式における欠点を克服する。
【０００８】
本発明の実施態様の第1の態様は、無線ベアラの処理方法を提供し、方法は、
ユーザ機器により、第2の基地局上のベアラのデータ送信を中断することと、
ユーザ機器により、第1の基地局に中断指示を送信することであって、中断指示が、ユーザ機器が第2の基地局上のベアラのデータ送信を中断したことを示すために使用される、送信することと
を含む。
【０００９】
第1の態様の第1の可能な実装方式では、ユーザ機器により、第2の基地局上のベアラのデータ送信を中断することは、
ユーザ機器により、第1の測定結果に従って、第2の基地局上のベアラのデータ送信が中断される必要があると判断することと、
ユーザ機器により、以下の動作：
ユーザ機器内の無線リンク制御エンティティ（s-RLC）を中断することであって、s-RLCが、ベアラと関連付けられ、第2の基地局に対応する、中断すること
を実行すること、または
ユーザ機器により、以下の動作：
ユーザ機器内の媒体アクセス制御エンティティ（s-MAC）をリセットすることであって、s-MACが、ベアラと関連付けられ、第2の基地局に対応する、リセットすること、および
ユーザ機器内の無線リンク制御エンティティ（s-RLC）を中断することであって、s-RLCが、ベアラと関連付けられ、第2の基地局に対応する、中断すること
を実行することと
を含む。
【００１０】
第1の態様の第2の可能な実装方式では、ユーザ機器により、第2の基地局上のベアラのデータ送信を中断することは、
ユーザ機器により、第1の基地局によって送信された中断コマンドを受信することであって、中断コマンドが、第2の基地局上のベアラのデータ送信を中断するようにユーザ機器に命令するために使用される、受信することと、
ユーザ機器により、中断コマンドに従って、以下の動作：
ユーザ機器内の無線リンク制御エンティティ（s-RLC）を中断することであって、s-RLCが、ベアラと関連付けられ、第2の基地局に対応する、中断すること
を実行すること、または
ユーザ機器により、以下の動作：
ユーザ機器内の媒体アクセス制御エンティティ（s-MAC）をリセットすることであって、s-MACが、ベアラと関連付けられ、第2の基地局に対応する、リセットすること、および
ユーザ機器内の無線リンク制御エンティティ（s-RLC）を中断することであって、s-RLCが、ベアラと関連付けられ、第2の基地局に対応する、中断すること
を実行することと
を含む。
【００１１】
第1の態様の第3の可能な実装方式では、中断指示は、第2の基地局に中断要求を送信するように第1の基地局に命令するためにさらに使用され、中断要求は、第2の基地局上のベアラのデータ送信を中断するように第2の基地局に要求するために使用される。
【００１２】
第1の態様、または第1の態様の第1、第2、もしくは第3の可能な実装方式を参照して、第1の態様の第4の可能な実装方式では、ユーザ機器により、第1の基地局に中断指示を送信することの後に、方法は、
ユーザ機器により、第2の測定結果に従って、第2の基地局上のベアラのデータ送信が再開される必要があると判断することと、
ユーザ機器により、ユーザ機器内の無線リンク制御エンティティ（s-RLC）を再確立し、s-RLCを再開することであって、s-RLCが、ベアラと関連付けられ、第2の基地局に対応する、再開することと、
ユーザ機器により、第1の基地局に再開指示を送信することであって、再開指示が、第2の基地局に再開要求を送信するように第1の基地局に命令するために使用され、再開要求が、第2の基地局上のベアラのデータ送信を再開するように第2の基地局に要求するために使用される、送信することと
をさらに含む。
【００１３】
第1の態様、または第1の態様の第1、第2、もしくは第3の可能な実装方式を参照して、第1の態様の第5の可能な実装方式では、ユーザ機器により、第1の基地局に中断指示を送信することの後に、方法は、
ユーザ機器により、第1の基地局に第2の測定結果を送信することと、
ユーザ機器により、第1の基地局によって送信された再開コマンドを受信し、再開コマンドに従って、ユーザ機器内の無線リンク制御エンティティ（s-RLC）を再確立し、s-RLCを再開することであって、s-RLCが、ベアラと関連付けられ、第2の基地局に対応し、第1の基地局が、第2の測定結果に従って、第2の基地局上のベアラのデータ送信が再開される必要があると判断した後に、再開コマンドが第1の基地局によって送信される、再開することと
をさらに含む。
【００１４】
第1の態様の第1、第2、第3、第4、または第5の可能な実装方式を参照して、第1の態様の第6の可能な実装方式では、第1の測定結果および第2の測定結果は、以下の測定対象：
ユーザ機器と第2の基地局との間の無線リンクのステータス、第2の基地局の信号強度、第2の基地局の信号品質、および、ベアラを介してユーザ機器によって送信されるべきデータパケットの量またはボリューム
のうちの少なくとも1つを測定することにより、ユーザ機器によって取得された結果である。
【００１５】
本発明の実施態様の第2の態様は、無線ベアラの処理方法を提供し、方法は、
第1の基地局により、ユーザ機器によって送信された中断指示を受信することと、
第1の基地局により、中断指示に従って、ユーザ機器が第2の基地局上のベアラのデータ送信を中断すると判断することと
を含む。
【００１６】
第2の態様の第1の可能な実装方式では、第1の基地局により、ユーザ機器によって送信された中断指示を受信することの後に、方法は、
第1の基地局により、第2の基地局に中断要求を送信することであって、中断要求が、第2の基地局上のベアラのデータ送信を中断するように第2の基地局に要求するために使用される、送信すること
をさらに含む。
【００１７】
第2の態様の第1の可能な実装方式を参照して、第2の態様の第2の可能な実装方式では、第1の基地局により、第2の基地局に中断要求を送信することであって、中断要求が、第2の基地局上のベアラのデータ送信を中断するように第2の基地局に要求するために使用される、送信することは、
第1の基地局により、第2の基地局に中断要求を送信することであって、
中断要求が、以下の動作：
第2の基地局内の無線リンク制御エンティティ（ps-RLC）を中断することであって、ps-RLCがベアラと関連付けられる、中断すること
を実行するように第2の基地局に要求するために使用されるか、または
中断要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断すること
を実行するように第2の基地局に要求するために使用される、送信すること
を含む。
【００１８】
第2の態様の第3の可能な実装方式では、第1の基地局により、ユーザ機器によって送信された中断指示を受信することの後に、方法は、
第1の基地局により、ユーザ機器によって送信された再開指示を受信することと、
第1の基地局により、再開指示に従って、第2の基地局に第1の再開要求を送信することであって、第1の再開要求が、第2の基地局上のベアラのデータ送信を再開するように第2の基地局に要求するために使用される、送信することと
をさらに含む。
【００１９】
第2の態様の第3の可能な実装方式を参照して、第2の態様の第4の可能な実装方式では、第1の基地局により、再開指示に従って、第2の基地局に第1の再開要求を送信することであって、第1の再開要求が、第2の基地局上のベアラのデータ送信を再開するように第2の基地局に要求するために使用される、送信することは、
第1の基地局により、再開指示に従って、第2の基地局に第1の再開要求を送信することであって、
第1の再開要求が、以下の動作：
第2の基地局内の無線リンク制御エンティティ（ps-RLC）を再確立し、ps-RLCを再開することであって、ps-RLCがベアラと関連付けられる、再開すること
を実行するように第2の基地局に要求するために使用されるか、または
第1の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること
を含む。
【００２０】
第2の態様の第5の可能な実装方式では、第1の基地局により、ユーザ機器によって送信された中断指示を受信することの後に、方法は、
第1の基地局により、第2の基地局上のベアラのデータ送信が再開される必要があると判断することと、
第1の基地局により、ユーザ機器に再開コマンドを送信し、第2の基地局に第2の再開要求を送信することであって、再開コマンドが、第2の基地局上のベアラのデータ送信を再開するようにユーザ機器に命令するために使用され、第2の再開要求が、第2の基地局上のベアラのデータ送信を再開するように第2の基地局に要求するために使用される、送信することと
をさらに含む。
【００２１】
第2の態様の第5の可能な実装方式を参照して、第2の態様の第6の可能な実装方式では、第1の基地局により、第2の基地局上のベアラのデータ送信が再開される必要があると判断することの前に、方法は、
第1の基地局により、ユーザ機器によって送信された第2の測定結果を受信すること
をさらに含み、
第1の基地局により、第2の基地局上のベアラのデータ送信が再開される必要があると判断することは、
第1の基地局により、第2の測定結果に従って、第2の基地局上のベアラのデータ送信が再開される必要があると判断すること
を含む。
【００２２】
第2の態様の第5の可能な実装方式を参照して、第2の態様の第7の可能な実装方式では、第1の基地局により、ユーザ機器に再開コマンドを送信することであって、再開コマンドが、第2の基地局上のベアラのデータ送信を再開するようにユーザ機器に命令するために使用される、送信することは、
第1の基地局により、ユーザ機器に再開コマンドを送信することであって、再開コマンドが、ユーザ機器内の無線リンク制御エンティティ（s-RLC）を再確立し、s-RLCを再開するようにユーザ機器に命令するために使用され、s-RLCが、ベアラと関連付けられ、第2の基地局に対応する、送信すること
を含む。
【００２３】
第2の態様の第5の可能な実装方式を参照して、第2の態様の第8の可能な実装方式では、第1の基地局により、第2の基地局に第2の再開要求を送信することであって、第2の再開要求が、第2の基地局上のベアラのデータ送信を再開するように第2の基地局に要求するために使用される、送信することは、
第1の基地局により、第2の基地局に第2の再開要求を送信することであって、
第2の再開要求が、以下の動作：
第2の基地局内の無線リンク制御エンティティ（ps-RLC）を再確立し、ps-RLCを再開することであって、ps-RLCがベアラと関連付けられる、再開すること
を実行するように第2の基地局に要求するために使用されるか、または
第2の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること
を含む。
【００２４】
本発明の実施態様の第3の態様は、無線ベアラの処理方法を提供し、方法は、
第2の基地局により、第2の基地局上のベアラのデータ送信を中断することと、
第2の基地局により、第1の基地局に中断指示を送信することであって、中断指示が、第2の基地局が第2の基地局上のベアラのデータ送信を中断したことを示すために使用される、送信することと
を含む。
【００２５】
第3の態様の第1の可能な実装方式では、第2の基地局により、第2の基地局上のベアラのデータ送信を中断することは、
第2の基地局により、測定結果に従って、第2の基地局上のベアラのデータ送信が中断される必要があると判断することと、
第2の基地局により、以下の動作：
第2の基地局内の無線リンク制御エンティティ（ps-RLC）を中断することであって、ps-RLCがベアラと関連付けられる、中断すること
を実行すること、または
第2の基地局により、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断すること
を実行することと
を含む。
【００２６】
第3の態様の第1の可能な実装方式を参照して、第3の態様の第2の可能な実装方式では、中断指示は、ユーザ機器に中断コマンドを送信するように第1の基地局に命令するためにさらに使用され、中断コマンドは、第2の基地局上のベアラのデータ送信を中断するようにユーザ機器に命令するために使用される。
【００２７】
第3の態様の第1の可能な実装方式を参照して、第3の態様の第3の可能な実装方式では、第2の基地局により、第1の基地局に中断指示を送信することの後に、方法は、
第2の基地局により、第1の基地局によって送信された再開要求を受信することと、
第2の基地局により、再開要求に従って、第2の基地局上のベアラのデータ送信を再開することと
をさらに含む。
【００２８】
第3の態様の第3の可能な実装方式を参照して、第3の態様の第4の可能な実装方式では、第2の基地局により、再開要求に従って、第2の基地局上のベアラのデータ送信を再開することは、
第2の基地局により、再開要求に従って、第2の基地局内の無線リンク制御エンティティ（ps-RLC）を再確立し、ps-RLCを再開することであって、ps-RLCがベアラと関連付けられる、再開すること
を含む。
【００２９】
第3の態様の第1、第2、第3、または第4の可能な実装方式を参照して、第3の態様の第5の可能な実装方式では、測定結果は、以下の測定対象：
ユーザ機器のアップリンク信号強度、ユーザ機器のアップリンク信号品質、および無線リンク制御エンティティ（ps-RLC）の再送信の回数
のうちの少なくとも1つを測定することにより、第2の基地局によって取得された結果である。
【００３０】
本発明の実施態様の第4の態様は、ユーザ機器を提供し、ユーザ機器は、
第2の基地局上のベアラのデータ送信を中断するように構成された処理モジュールと、
第1の基地局に中断指示を送信するように構成された送信モジュールであって、中断指示が、ユーザ機器が第2の基地局上のベアラのデータ送信を中断したことを示すために使用される、送信モジュールと
を含む。
【００３１】
第4の態様の第1の可能な実装方式では、処理モジュールは、
第1の測定結果に従って、第2の基地局上のベアラのデータ送信が中断される必要があると判断するように構成された判断ユニットと、
以下の動作：
ユーザ機器内の無線リンク制御エンティティ（s-RLC）を中断することであって、s-RLCが、ベアラと関連付けられ、第2の基地局に対応する、中断すること
を実行するように構成された処理ユニット、または
以下の動作：
ユーザ機器内の媒体アクセス制御エンティティ（s-MAC）をリセットすることであって、s-MACが、ベアラと関連付けられ、第2の基地局に対応する、リセットすること、および
ユーザ機器内の無線リンク制御エンティティ（s-RLC）を中断することであって、s-RLCが、ベアラと関連付けられ、第2の基地局に対応する、中断すること
を実行するように構成された処理ユニットと
を含む。
【００３２】
第4の態様の第2の可能な実装方式では、ユーザ機器は、
第1の基地局によって送信された中断コマンドを受信するように構成された受信モジュールであって、中断コマンドが、第2の基地局上のベアラのデータ送信を中断するようにユーザ機器に命令するために使用される、受信モジュール
をさらに含み、
処理ユニットは、以下の動作：
ユーザ機器内の無線リンク制御エンティティ（s-RLC）を中断することであって、s-RLCが、ベアラと関連付けられ、第2の基地局に対応する、中断すること
を実行するようにさらに構成されるか、または
処理ユニットは、以下の動作：
ユーザ機器内の媒体アクセス制御エンティティ（s-MAC）をリセットすることであって、s-MACが、ベアラと関連付けられ、第2の基地局に対応する、リセットすること、および
ユーザ機器内の無線リンク制御エンティティ（s-RLC）を中断することであって、s-RLCが、ベアラと関連付けられ、第2の基地局に対応する、中断すること
を実行するようにさらに構成される。
【００３３】
第4の態様の第3の可能な実装方式では、中断指示は、第2の基地局に中断要求を送信するように第1の基地局に命令するためにさらに使用され、中断要求は、第2の基地局上のベアラのデータ送信を中断するように第2の基地局に要求するために使用される。
【００３４】
第4の態様または第4の態様の第1、第2、もしくは第3の可能な実装方式を参照して、第4の態様の第4の可能な実装方式では、判断ユニットは、第2の測定結果に従って、第2の基地局上のベアラのデータ送信が再開される必要があると判断するようにさらに構成され、
処理ユニットは、ユーザ機器内の無線リンク制御エンティティ（s-RLC）を再確立し、s-RLCを再開するようにさらに構成され、s-RLCは、ベアラと関連付けられ、第2の基地局に対応し、
処理モジュールは、第1の基地局に再開指示を送信するように構成された送信ユニットをさらに含み、再開指示は、第2の基地局に再開要求を送信するように第1の基地局に命令するために使用され、再開要求は、第2の基地局上のベアラのデータ送信を再開するように第2の基地局に要求するために使用される。
【００３５】
第4の態様または第4の態様の第1、第2、もしくは第3の可能な実装方式を参照して、第4の態様の第5の可能な実装方式では、送信ユニットは、第1の基地局に第2の測定結果を送信するようにさらに構成され、
処理ユニットは、第1の基地局によって送信された再開コマンドを受信し、再開コマンドに従って、ユーザ機器内の無線リンク制御エンティティ（s-RLC）を再確立し、s-RLCを再開するようにさらに構成され、s-RLCは、ベアラと関連付けられ、第2の基地局に対応し、第1の基地局が、第2の測定結果に従って、第2の基地局上のベアラのデータ送信が再開される必要があると判断した後に、再開コマンドは第1の基地局によって送信される。
【００３６】
本発明の実施態様の第5の態様は、第1の基地局を提供し、第1の基地局は、
ユーザ機器によって送信された中断指示を受信するように構成された受信モジュールと、
中断指示に従って、ユーザ機器が第2の基地局上のベアラのデータ送信を中断すると判断するように構成された処理モジュールと
を含む。
【００３７】
第5の態様の第1の可能な実装方式では、第1の基地局は、
第2の基地局に中断要求を送信するように構成された送信モジュールであって、中断要求が、第2の基地局上のベアラのデータ送信を中断するように第2の基地局に要求するために使用される、送信モジュール
をさらに含む。
【００３８】
第5の態様の第1の可能な実装方式を参照して、第5の態様の第2の可能な実装方式では、送信モジュールは、具体的に、
第2の基地局に中断要求を送信することであって、中断要求が、以下の動作：
第2の基地局内の無線リンク制御エンティティ（ps-RLC）を中断することであって、ps-RLCがベアラと関連付けられる、中断すること
を実行するように第2の基地局に要求するために使用される、送信すること、または
第2の基地局に中断要求を送信することであって、中断要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断すること
を実行するように第2の基地局に要求するために使用される、送信すること
を行うように構成される。
【００３９】
第5の態様の第3の可能な実装方式では、受信モジュールは、
ユーザ機器によって送信された再開指示を受信するようにさらに構成され、
送信モジュールは、再開指示に従って、第2の基地局に第1の再開要求を送信するようにさらに構成され、第1の再開要求は、第2の基地局上のベアラのデータ送信を再開するように第2の基地局に要求するために使用される。
【００４０】
第5の態様の第3の可能な実装方式を参照して、第5の態様の第4の可能な実装方式では、送信モジュールは、具体的に、
再開指示に従って、第2の基地局に第1の再開要求を送信することであって、第1の再開要求が、以下の動作：
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること、または
再開指示に従って、第2の基地局に第1の再開要求を送信することであって、第1の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること
を行うように構成される。
【００４１】
第5の態様の第5の可能な実装方式では、第1の基地局は、
第2の基地局上のベアラのデータ送信が再開される必要があると判断するように構成された判断モジュール
をさらに含み、
送信モジュールは、ユーザ機器に再開コマンドを送信し、第2の基地局に第2の再開要求を送信するようにさらに構成され、再開コマンドは、第2の基地局上のベアラのデータ送信を再開するようにユーザ機器に命令するために使用され、第2の再開要求は、第2の基地局上のベアラのデータ送信を再開するように第2の基地局に要求するために使用される。
【００４２】
第5の態様の第5の可能な実装方式を参照して、第5の態様の第6の可能な実装方式では、受信モジュールは、
ユーザ機器によって送信された第2の測定結果を受信するようにさらに構成され、
判断モジュールは、第2の測定結果に従って、第2の基地局上のベアラのデータ送信が再開される必要があると判断するようにさらに構成される。
【００４３】
第5の態様の第5の可能な実装方式を参照して、第5の態様の第7の可能な実装方式では、送信モジュールは、具体的に、
ユーザ機器に再開コマンドを送信することであって、再開コマンドが、ユーザ機器内の無線リンク制御エンティティ（s-RLC）を再確立し、s-RLCを再開するようにユーザ機器に命令するために使用され、s-RLCが、ベアラと関連付けられ、第2の基地局に対応する、送信すること
を行うように構成される。
【００４４】
第5の態様の第5の可能な実装方式を参照して、第5の態様の第8の可能な実装方式では、送信モジュールは、具体的に、
第2の基地局に第2の再開要求を送信することであって、第2の再開要求が、以下の動作：
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること、または
第2の基地局に第2の再開要求を送信することであって、第2の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開すること
を実行するように第2の基地局に要求するために使用される、送信すること
を行うように構成される。
【００４５】
本発明の実施態様の第6の態様は、第2の基地局を提供し、第2の基地局は、
第2の基地局上のベアラのデータ送信を中断するように構成された処理モジュールと、
第1の基地局に中断指示を送信するように構成された送信モジュールであって、中断指示が、第2の基地局が第2の基地局上のベアラのデータ送信を中断したことを示すために使用される、送信モジュールと
を含む。
【００４６】
第6の態様の第1の可能な実装方式では、処理モジュールは、
測定結果に従って、第2の基地局上のベアラのデータ送信が中断される必要があると判断するように構成された判断ユニットと、
以下の動作：
第2の基地局内の無線リンク制御エンティティ（ps-RLC）を中断することであって、ps-RLCがベアラと関連付けられる、中断すること
を実行するように構成された処理ユニット、または
以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断すること
を実行するように構成された処理ユニットと
を含む。
【００４７】
第6の態様の第1の可能な実装方式を参照して、第6の態様の第2の可能な実装方式では、中断指示は、ユーザ機器に中断コマンドを送信するように第1の基地局に命令するためにさらに使用され、中断コマンドは、第2の基地局上のベアラのデータ送信を中断するようにユーザ機器に命令するために使用される。
【００４８】
第6の態様の第1の可能な実装方式を参照して、第6の態様の第3の可能な実装方式では、第2の基地局は、
第1の基地局によって送信された再開要求を受信するように構成された受信モジュール
をさらに含み、
処理モジュールは、再開要求に従って、第2の基地局上のベアラのデータ送信を再開するようにさらに構成される。
【００４９】
第6の態様の第3の可能な実装方式を参照して、第6の態様の第4の可能な実装方式では、処理モジュールは、具体的に、
再開要求に従って、第2の基地局内の無線リンク制御エンティティ（ps-RLC）を再確立し、ps-RLCを再開することであって、ps-RLCがベアラと関連付けられる、再開すること
を行うように構成される。
【００５０】
第6の態様の第3の可能な実装方式を参照して、第6の態様の第5の可能な実装方式では、測定結果は、以下の測定対象：
ユーザ機器のアップリンク信号強度、ユーザ機器のアップリンク信号品質、および無線リンク制御エンティティ（ps-RLC）の再送信の回数
のうちの少なくとも1つを測定することにより、第2の基地局によって取得された結果である。
【００５１】
本発明の実施態様の第7の態様は、ユーザ機器を提供し、ユーザ機器は、
メモリと、メモリに接続されたプロセッサとを含み、メモリは、プログラムコード一式を記憶するように構成され、プロセッサは、メモリに記憶されたプログラムコードを呼び出して、本発明の実施態様の第1の態様および第1の態様の可能な実装方式のうちのいずれか1つによる方法を実行するように構成される。
【００５２】
本発明の実施態様の第8の態様は、第1の基地局を提供し、第1の基地局は、
メモリと、メモリに接続されたプロセッサとを含み、メモリは、プログラムコード一式を記憶するように構成され、プロセッサは、メモリに記憶されたプログラムコードを呼び出して、本発明の実施態様の第2の態様および第2の態様の可能な実装方式のうちのいずれか1つによる方法を実行するように構成される。
【００５３】
本発明の実施態様の第9の態様は、第2の基地局を提供し、第2の基地局は、
メモリと、メモリに接続されたプロセッサとを含み、メモリは、プログラムコード一式を記憶するように構成され、プロセッサは、メモリに記憶されたプログラムコードを呼び出して、本発明の実施態様の第3の態様および第3の態様の可能な実装方式のうちのいずれか1つによる方法を実行するように構成される。
【００５４】
本発明の実施態様によって提供される無線ベアラの処理方法、ユーザ機器、および基地局によれば、第2の基地局上のベアラのデータ送信を中断した後、ユーザ機器は、ユーザ機器が第2の基地局上のベアラのデータ送信を中断したことを示すために使用される中断指示を第1の基地局に送信する。ユーザ機器は、単独で、第2の基地局上のベアラのデータ送信を中断するべきかどうかを判定することができ、第1の基地局と対話して、第2の基地局上のベアラのデータ送信を中断するべきかどうかを第1の基地局に判定させる必要がないので、シグナリングのオーバーヘッドが削減される。加えて、第2の基地局上のベアラのデータ送信はサスペンド方式で停止され、ベアラに関係するプロトコルエンティティを削除する必要がなく、その結果、その後第2の基地局上のベアラのデータ送信が再開されると、関係するプロトコルエンティティを再確立する必要がなく、それにより、無線ベアラリソースの稼働率が効果的に改善される。
【図面の簡単な説明】
【００５５】
【図１】MCGベアラおよびSplitベアラのプロトコルスタックアーキテクチャの概略図である。
【図２】従来技術におけるMCGベアラとSplitベアラとの間の相互転換のシグナリング対話の概略図である。
【図３】本発明の実施形態1による、無線ベアラの処理方法のフローチャートである。
【図４】本発明の実施形態2による、無線ベアラの処理方法のシグナリング対話の概略図である。
【図５】本発明の実施形態3による、無線ベアラの処理方法のシグナリング対話の概略図である。
【図６】本発明の実施形態4による、無線ベアラの処理方法のシグナリング対話の概略図である。
【図７】本発明の実施形態5による、無線ベアラの処理方法のフローチャートである。
【図８】本発明の実施形態6による、無線ベアラの処理方法のフローチャートである。
【図９】本発明の実施形態7による、無線ベアラの処理方法のシグナリング対話の概略図である。
【図１０（ａ）】本発明の実施形態8による、無線ベアラの処理方法のシグナリング対話の概略図である。
【図１０（ｂ）】本発明の実施形態8による、無線ベアラの処理方法のシグナリング対話の概略図である。
【図１１】本発明の実施形態9による、ユーザ機器の概略構造図である。
【図１２】本発明の実施形態10による、第1の基地局の概略構造図である。
【図１３】本発明の実施形態11による、第2の基地局の概略構造図である。
【図１４】本発明の実施形態12による、ユーザ機器の概略構造図である。
【図１５】本発明の実施形態13による、第1の基地局の概略構造図である。
【図１６】本発明の実施形態14による、第2の基地局の概略構造図である。
【発明を実施するための形態】
【００５６】
本発明の実施形態の目的、技術的解決策、および利点を明確にするために、以下で、本発明の実施形態における添付図面を参照して、本発明の実施形態における技術的解決策を明確かつ完全に記載する。当然ながら、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【００５７】
図3は、本発明の実施形態1による、無線ベアラの処理方法のフローチャートである。図3に示されたように、本実施形態において提供された方法は、特にLTEシステムに適用可能であり、方法は、具体的に、以下を含む。
【００５８】
ステップ101．ユーザ機器が第2の基地局上のベアラのデータ送信を中断する。
【００５９】
ステップ102．ユーザ機器が第1の基地局に中断指示を送信し、中断指示は、ユーザ機器が第2の基地局上のベアラのデータ送信を中断したことを示すために使用される。
【００６０】
LTEシステムでは、MCGベアラおよびSplitベアラに加えて、別のタイプのベアラである2次セルグループ（Secondary Cell Group、以下略してSCG）ベアラが存在する。Splitベアラと同様に、SCGベアラもMCGベアラとの間で転換することができる。UEでは、1つのSCGベアラが、1つのPDCPエンティティおよび1つのRLCエンティティと関連付けられる。図1では、PDCPエンティティおよびRLCエンティティは、それぞれ、s-PDCPおよびs-RLC2によって表され、s-RLC2エンティティは、対応するMACエンティティ（s-MAC）と関連付けられ、s-MACエンティティはSeNBに対応する。UE内のプロトコルエンティティは、ネットワーク側にそれらぞれぞれのピアプロトコルエンティティを有し、s-PDCPエンティティ、s-RLC2エンティティ、およびs-MACエンティティのピアプロトコルエンティティは、それぞれ、SeNB内のピアps-PDCPエンティティ、ピアps-RLC2エンティティ、およびピアps-MACエンティティである。SCGベアラのすべてのダウンリンクデータパケットは、ピアps-PDCPエンティティからピアps-RLC2エンティティに、次いでピアps-MACエンティティに送信され、次いで、ピアps-MACエンティティにより、エアインターフェースを介してs-MACエンティティに送信される。次いで、s-MACエンティティは、最終的に、受信されたデータパケットを、s-RLC2エンティティを介してs-PDCPエンティティに搬送する。SCGベアラのアップリンクデータパケットの送信経路は、SCGベアラのダウンリンクデータパケットの送信経路と反対である。
【００６１】
例としてSplitベアラとMCGベアラとの間の相互転換を使用することにより、図2は、従来技術におけるMCGベアラとSplitベアラとの間の相互転換のシグナリング対話の概略図である。図2に示されたように、LTEシステムでは、例としてSplitベアラを使用することにより、Splitベアラが処理される方式は、Splitベアラが通信要件を満たすことができないときにSplitベアラがMCGベアラに転換され、その後、Splitベアラが通信要件を満たすときにMCGベアラがSplitベアラに戻される方式である。MCGベアラとSplitベアラとの間の相互転換を実施する既存の解決策では、MCGベアラとSplitベアラとの間の相互転換が実施される必要があるかどうかは、UEがSeNBに対する測定を実施した後にUEによって報告される測定報告に従ってMeNBによって判定され、MCGベアラとSplitベアラとの間の相互転換を実施するプロセスでは、UEおよびSeNBは、Splitベアラに関係するプロトコルエンティティを個別に再確立または削除する必要がある。その上、実際の適用例では、UEの移動に起因して、UEが時々SeNBから離れ、近づくので、MCGベアラとSplitベアラとの間の頻繁な相互転換が引き起こされ、それは、しばしば、重いシグナリング負荷および長いシグナリング遅延につながる。たとえば、図2では4個のエアインターフェースシグナリング（ステップ2、6、8、および12）ならびに2個のバックボーンネットワークシグナリング（ステップ4および10）が引き起こされ、無線ベアラリソースの低い稼働率にもつながる。
【００６２】
上記の欠点を克服するために、本発明の本実施形態によって提供される無線ベアラの処理方法では、無線ベアラの処理は以下の方式で実施される。本発明の本実施形態によって提供される方法は、特に、SplitベアラまたはSCGベアラを処理するケースに適用可能であり、以下の実施形態は、例としてSplitベアラを使用することによって記載され、同じ方法がSCGベアラに適用され、関係するプロトコルエンティティが置き換えられる必要があるだけで、詳細は再び記載されないことに留意されたい。加えて、以下の実施形態では、第1の基地局はマスタ基地局MeNBを指し、第2の基地局は2次基地局SeNBを指す。
【００６３】
具体的には、図4に示されたように、図4は、本発明の実施形態2による、無線ベアラの処理方法のシグナリング対話の概略図である。本実施形態では、UEは、単独で、Splitベアラを中断する処理を実施するべきかどうかを判定することができる。本発明の本実施形態では、第2の基地局上のベアラのデータ送信が中断され、中断（suspend）は停止の意味と等価な意味を有することに留意されたい。具体的には、ユーザ機器により、ステップ101において第2の基地局上のベアラのデータ送信を中断することは、具体的に、以下の方式：
ユーザ機器により、第1の測定結果に従って、第2の基地局上のベアラのデータ送信が中断される必要があると判断すること
で実施される。具体的には、
ユーザ機器UEは、第1の測定結果に従って、第2の基地局SeNB上のSplitベアラのデータ送信を中断するべきかどうかを判定し、
はいの場合、ユーザ機器UEは、以下の動作：
ユーザ機器内の無線リンク制御エンティティ（s-RLC）を中断することであって、s-RLCがベアラと関連付けられ、第2の基地局に対応する、中断する
ことを実施するか、または
ユーザ機器は、以下の動作：
ユーザ機器内の媒体アクセス制御エンティティ（s-MAC）をリセットすることであって、s-MACがベアラと関連付けられ、第2の基地局に対応する、リセットすること、および
ユーザ機器内の無線リンク制御エンティティ（s-RLC）を中断することであって、s-RLCがベアラと関連付けられ、第2の基地局に対応する、中断する
ことを実施する。
【００６４】
第1の測定結果は、以下の測定対象：
ユーザ機器UEと第2の基地局SeNBとの間の無線リンクのステータス、第2の基地局SeNBの信号強度、第2の基地局SeNBの信号品質、および、ベアラを介してユーザ機器UEによって送信されるべきデータパケットの量またはボリューム
のうちの少なくとも1つを測定することにより、ユーザ機器UEによって取得された結果である。
【００６５】
本実施形態の方法を実行する前提は、UEとMeNBおよびSeNBとの間にSplitベアラが確立されていることである。上記のあらかじめ設定された測定対象のうちの少なくとも1つを測定することによって取得された第1の測定結果に従って、SplitベアラがSeNB上のデータ送信に適していないと判断すると、UEは、SeNB上のSplitベアラのデータ送信を中断するように決定する。
【００６６】
UEがSeNB上のSplitベアラの送信を中断するように決定することは、UEがSeNBからSplitベアラのダウンリンクデータをもはや受信せず、SeNBにSplitベアラのアップリンクデータをもはや送信しないように決定することを意味する。
【００６７】
具体的には、UEは、SeNBについての測定結果に従って決定する場合がある。たとえば、UEは、SeNBに対して無線リンク監視（Radio Link Monitoring、以下略してRLM）を実施し、RLMに従って、UEとSeNBとの間の無線リンク内で無線リンク障害（Radio Link Failure、以下略してRLF）が発生していると判断すると、UEは中断を実施するように決定する。別の例を挙げると、UEはSeNBの信号強度または信号品質を測定し、測定結果に従って、SeNBの信号強度または信号品質があらかじめ設定されたしきい値よりも低いと判断すると、UEは中断を実施するように決定する。代替として、UEは、Splitベアラを介して送信されるべきデータパケットの量、またはSplitベアラを介して送信されるべきデータパケットのバッファステータスに従って、中断を実施するように決定する場合がある。たとえば、UEは、Splitベアラを介して送信されるべきデータパケットの量、またはSplitベアラを介して送信されるべきデータパケットのバッファサイズがあらかじめ設定された値よりも小さいと判断すると、中断するように決定する。
【００６８】
UEがSplitベアラを中断するように決定した後、UEは、最初に、UE内にあり、Splitベアラと関連付けられたプロトコルエンティティを中断する必要がある。具体的には、これは、以下の方式：UEにより、UE内の無線リンク制御エンティティ（s-RLC）を中断することであって、s-RLCがSplitベアラと関連付けられ、第2の基地局SeNBに対応する、中断することにおいて実施されるか、または、以下の方式：UEにより、UE内の媒体アクセス制御エンティティ（s-MAC）をリセットすることであって、s-MACがSplitベアラと関連付けられ、第2の基地局SeNBに対応する、リセットすること、およびUE内の無線リンク制御エンティティ（s-RLC）を中断することであって、s-RLCがSplitベアラと関連付けられ、第2の基地局SeNBに対応する、中断することにおいて実施される場合がある。
【００６９】
s-MACエンティティをリセットすることは、具体的に、s-MACによって使用されたバッファを空にすること、s-MACによって使用されたステータス変数を再初期化すること、s-MACによって使用されたタイマを停止することなどを含み、s-RLCエンティティを中断することは、具体的に、s-RLCによるデータパケットの処理を停止すること、たとえば、データパケットの送信または受信を停止することを含む。
【００７０】
次いで、UEは、MeNBに中断指示を送信し、中断指示は、UEが第2の基地局SeNB上のSplitベアラのデータ送信を中断したことを示すために使用される。
【００７１】
図4に示されたように、UEによりSplitベアラを中断するプロセスでは、ただ1個のエアインターフェースシグナリング、すなわち、中断指示がMeNBに送信され、図2と比較して、1個のエアインターフェースシグナリングが保存される。
【００７２】
場合によっては、中断指示は中断原因をさらに含む場合があり、たとえば、UEとSeNBとの間の無線リンク内でRLFが発生したことをUEが検出すると、中断指示に含まれる中断原因は、RLFを引き起こす理由であり得る。
【００７３】
本実施形態では、第2の基地局上のベアラのデータ送信を中断した後、ユーザ機器は、ユーザ機器が第2の基地局上のベアラのデータ送信を中断したことを示すために使用される中断指示を第1の基地局に送信する。ユーザ機器は、単独で、第2の基地局上のベアラのデータ送信を中断するべきかどうかを判定することができ、第1の基地局と対話して、第2の基地局上のベアラのデータ送信を中断するべきかどうかを第1の基地局に判定させる必要がないので、シグナリングのオーバーヘッドが削減される。加えて、第2の基地局上のベアラのデータ送信はサスペンド方式で停止され、ベアラに関係するプロトコルエンティティを削除する必要がなく、その結果、その後第2の基地局上のベアラのデータ送信が再開されると、関係するプロトコルエンティティを再確立する必要がなく、それにより、無線ベアラリソースの稼働率が効果的に改善される。
【００７４】
場合によっては、中断指示は、SeNBに中断要求を送信するようにMeNBに命令するためにさらに使用され、中断要求は、SeNB上のベアラのデータ送信を中断するようにSeNBに要求するために使用され、その結果、SeNBは、中断要求に従って、Splitベアラのデータ送信を中断する。
【００７５】
具体的には、図4に示されたように、UEによって送信された中断指示を受信した後、MeNBは、中断指示に従って、SeNBに中断要求を送信し、中断要求を受信した後、SeNBは、SeNB内の無線リンク制御エンティティ（ps-RLC）を中断することであって、ps-RLCがSplitベアラと関連付けられる、中断することを行う場合があるか、または、SeNB内の媒体アクセス制御エンティティ（ps-MAC）をリセットすることであって、ps-MACがベアラと関連付けられる、リセットすること、および第2の基地局内の無線リンク制御エンティティ（ps-RLC）を中断することであって、ps-RLCがベアラと関連付けられる、中断することを行う場合がある。Splitベアラのps-MACエンティティをリセットし、Splitベアラのps-RLCエンティティを中断するプロセスは、UEによりSplitベアラのs-MACエンティティをリセットし、Splitベアラのs-RLCエンティティを中断するプロセスと同様であり、詳細は再び記載されない。SeNBが、Splitベアラと関連付けられた、SeNB内の媒体アクセス制御エンティティ（ps-MAC）をリセットすることはオプションステップであり、UEが中断の間にs-MACをリセットしたときのみ、SeNBは、それに対応してps-MACをリセットする必要があることを理解されたい。
【００７６】
さらに、UEにより、MeNBに中断指示を送信することの後に、方法は、UEにより、第2の測定結果に従って、MeNBと対話し、SeNB上のSplitベアラのデータ送信を再開することをさらに含む。
【００７７】
第2の測定結果は、以下の測定対象：UEとSeNBとの間の無線リンクのステータス、SeNBの信号強度、SeNBの信号品質、およびSplitベアラを介してUEによって送信されるべきデータパケットの量またはボリュームのうちの少なくとも1つを測定することにより、UEによって取得された結果である。
【００７８】
場合によっては、UEが、第2の測定結果に従って、MeNBと対話し、SeNB上のSplitベアラのデータ送信を再開することは、図5に示された方式：
UEにより、第2の測定結果に従って、SeNB上のベアラのデータ送信が再開される必要があると判断することと、
UEにより、UE内の無線リンク制御エンティティ（s-RLC）を再確立し、s-RLCを再開することであって、s-RLCがベアラと関連付けられ、SeNBに対応する、再開することと、
UEにより、MeNBに再開指示を送信することであって、再開指示が、SeNBに再開要求を送信するようにMeNBに命令するために使用され、再開要求が、SeNB上のベアラのデータ送信を再開するようにSeNBに要求するために使用される、送信することと
において実施される場合がある。
【００７９】
具体的には、UEが、第2の測定結果に従って、SeNB上のベアラのデータ送信が再開される必要があると判断することは、以下の方式：UEにより、第2の測定結果に従って、SeNB上のSplitベアラのデータ送信を再開するべきかどうかを判定することと、
はいの場合、UEにより、UE内の無線リンク制御エンティティ（s-RLC）を再確立し、s-RLCを再開することであって、s-RLCがSplitベアラと関連付けられ、SeNBに対応する、再開することと、UEにより、MeNBに再開指示を送信することであって、その結果、MeNBが再開指示に従ってSeNBに第1の再開要求を送信し、SeNBが第1の再開要求に従ってSeNB上のSplitベアラのデータ送信を再開する、送信することと
において実施される場合がある。
【００８０】
具体的には、UEは、SeNBについての新しい測定結果に従って、再開するように決定する場合がある。たとえば、UEは、SeNBに対して無線リンク監視（Radio Link Monitoring、以下略してRLM）を実施し、RLMに従って、UEとSeNBとの間の無線リンクが正常接続状態に戻っていると判断すると、UEは再開するように決定する。別の例を挙げると、UEはSeNBの信号強度または信号品質を測定し、測定結果に従って、SeNBの信号強度または信号品質があらかじめ設定されたしきい値よりも高いと判断すると、UEは再開するように決定する。代替として、UEは、Splitベアラを介して送信されるべきデータパケットの量、またはSplitベアラを介して送信されるべきデータパケットのバッファステータスに従って、決定する場合がある。たとえば、UEは、Splitベアラを介して送信されるべきデータパケットの量、またはSplitベアラを介して送信されるべきデータパケットのバッファサイズがあらかじめ設定された値よりも大きいと判断すると、再開するように決定する。
【００８１】
加えて、再開要求を受信した後、SeNBは、SeNB内の無線リンク制御エンティティ（ps-RLC）を再確立し、ps-RLCを再開することであって、ps-RLCがSplitベアラと関連付けられる、再開すること、または、Splitベアラと関連付けられた、SeNB内の媒体アクセス制御エンティティ（ps-MAC）をリセットすること、および、SeNB内の無線リンク制御エンティティ（ps-RLC）を再確立し、ps-RLCを再開することであって、ps-RLCがSplitベアラと関連付けられる、再開することを行う。ps-RLCエンティティを再確立することは、具体的に、たとえば、受信に成功したデータパケットをMeNBに送信すること、送信される必要があるが送信に成功していないデータパケットを廃棄すること、ps-RLCエンティティによって使用されたタイマを停止しリセットすること、ps-RLCエンティティによって使用されたステータス変数を再初期化することなどを含む。ps-RLCを再開することは、ps-RLCエンティティによりデータパケットの処理を開始することを意味する。
【００８２】
図5に示された測定報告は、本実施形態における第2の測定報告に対応することに留意されたい。
【００８３】
さらに場合によっては、UEが、第2の測定結果に従って、MeNBと対話し、SeNB上のSplitベアラのデータ送信を再開することは、図4または図6に示された方式：
UEにより、MeNBに第2の測定結果を送信することであって、その結果、MeNBが、第2の測定結果に従って、SeNB上のSplitベアラのデータ送信を再開するべきかどうかを判定する、送信することと、
MeNBが、第2の測定結果に従って、SeNB上のSplitベアラのデータ送信が再開される必要があると判断した場合、UEにより、MeNBによって送信された再開コマンドを受信することと、再開コマンドに従って、UE内の無線リンク制御エンティティ（s-RLC）を再確立し、s-RLCを再開することであって、s-RLCがSplitベアラと関連付けられ、SeNBに対応する、再開することと
において実施される場合がある。場合によっては、再開コマンドは、Splitベアラのベアラ識別子を含む。この場合、UEに再開コマンドを送信することに加えて、MeNBは、さらに、SeNBに第2の再開要求を送信する場合があり、SeNBは、第2の再開要求に従って、以下の動作：SeNB内の無線リンク制御エンティティ（ps-RLC）を再確立し、ps-RLCを再開することであって、ps-RLCがベアラと関連付けられる、再開することを実施するか、または、第2の再開要求に従って、以下の動作：ベアラと関連付けられた、SeNB内の媒体アクセス制御エンティティ（ps-MAC）をリセットすること、および、SeNB内の無線リンク制御エンティティ（ps-RLC）を再確立し、ps-RLCを再開することであって、ps-RLCがベアラと関連付けられる、再開することを実施する。
【００８４】
図4および図6に示された測定報告は、本実施形態における第2の測定報告に対応することに留意されたい。図4、図5、および図6から分かるように、図5に示された実施形態と図6に示された実施形態との間の差は、主に、MeNBがSplitベアラを再開するように決定するか、UEがSplitベアラを再開するように決定するかにあり、UEがSplitベアラを再開するように決定するとき、エアインターフェースシグナリングのオーバーヘッドをさらに削減することができる。その上、図4に示された実施形態と図6に示された実施形態との間の差は、主に、図4では、MeNBがUEによって送信された中断指示を受信した後、UEがすでにSplitベアラを中断していること、すなわち、対応するSplitベアラのデータパケットをSeNBにもはや送信せず、対応するSplitベアラのデータパケットをSeNBからもはや受信しないことである。したがって、SeNBの無用な処理負荷をさらに回避するために、MeNBは、SeNBに中断要求を送信し、その結果、SeNBも、SeNB上のSplitベアラのデータ送信を中断する。
【００８５】
上記の実施形態では、ユーザ機器は、単独で、第2の基地局上のSplitベアラのデータ送信を中断するべきかどうかを判定することができ、第1の基地局と対話して、第2の基地局上のSplitベアラのデータ送信を中断するべきかどうかを第1の基地局に判定させる必要がないので、シグナリングのオーバーヘッドが削減される。加えて、SeNB上のSplitベアラのデータ送信はサスペンド方式で停止され、ベアラに関係するプロトコルエンティティを削除する必要がなく、その結果、その後SeNB上のSplitベアラのデータ送信が再開されると、Splitベアラが再開され、Splitベアラに関係するプロトコルエンティティを再確立する必要がなく、それにより、無線ベアラリソースの稼働率が効果的に改善される。その上、ユーザ機器は、単独で、Splitベアラのデータ送信を再開するべきかどうかも判定することができ、それにより、シグナリングのオーバーヘッドがさらに削減される。
【００８６】
さらに場合によっては、図9に示されたように、UEが、単独で、ベアラを中断するべきかどうかを判定する上記の実施形態とは異なり、図9では、UEは、MeNBによって搬送された中断コマンドに従って、対応する中断動作を実施する場合もある。
【００８７】
具体的には、UEは、MeNBによって送信された中断コマンドを受信し、中断コマンドは、SeNB上のSplitベアラのデータ送信を中断するようにUEに命令するために使用される。中断コマンドは、別の中断指示に従って、MeNBによってUEに送信される場合があり、別の中断指示は、SeNBがSeNB上のSplitベアラのデータ送信を中断した後、SeNBによってMeNBに送信されるか、または、中断コマンドは、MeNBが、UEによって報告された第1の測定結果に従って、SeNB上のSplitベアラのデータ送信を中断するように決定した後、MeNBによって生成される場合がある。
【００８８】
UEは、中断コマンドに従って、以下の動作：
UE内の無線リンク制御エンティティ（s-RLC）を中断することであって、s-RLCがベアラと関連付けられ、SeNBに対応する、中断することを実施するか、または
UEは、以下の動作：
UE内の媒体アクセス制御エンティティ（s-MAC）をリセットすることであって、s-MACがベアラと関連付けられ、SeNBに対応する、リセットすること、および
UE内の無線リンク制御エンティティ（s-RLC）を中断することであって、s-RLCがベアラと関連付けられ、SeNBに対応する、中断することを実施する。
【００８９】
図7は、本発明の実施形態5による、無線ベアラの処理方法のフローチャートである。図7に示されたように、方法は以下を含む。
【００９０】
ステップ201．第1の基地局が、ユーザ機器によって送信された中断指示を受信し、中断指示は、ユーザ機器が、第1の測定結果に従って、第2の基地局上のベアラのデータ送信を中断するように決定した後、ユーザ機器によって送信される。
【００９１】
ステップ202．第1の基地局が、中断指示に従って、ユーザ機器が第2の基地局上のベアラのデータ送信を中断すると判断する。
【００９２】
まだ例としてSplitベアラを使用すると、本実施形態の方法を実行する前提は、UEとMeNBおよびSeNBとの間にSplitベアラが確立されていることである。あらかじめ設定された測定対象のうちの少なくとも1つを測定することによって取得された第1の測定結果に従って、SplitベアラがSeNB上のデータ送信に適していないと判断すると、UEは、SeNB上のSplitベアラのデータ送信を中断するように決定する。
【００９３】
具体的には、UEは、以下の方式：
UEにより、第1の測定結果に従って、SeNB上のSplitベアラのデータ送信を中断するべきかどうかを判定することと、
はいの場合、UEにより、以下の動作：
UE内の無線リンク制御エンティティ（s-RLC）を中断することであって、s-RLCがベアラと関連付けられ、SeNBに対応する、中断することを実施すること、または
UEにより、以下の動作：
UE内の媒体アクセス制御エンティティ（s-MAC）をリセットすることであって、s-MACがベアラと関連付けられ、SeNBに対応する、リセットすること、および
UE内の無線リンク制御エンティティ（s-RLC）を中断することであって、s-RLCがベアラと関連付けられ、SeNBに対応する、中断することを実施することと
において、SeNB上のSplitベアラのデータ送信の中断するように決定する場合がある。
【００９４】
第1の測定結果は、以下のあらかじめ設定された測定対象：
UEとSeNBとの間の無線リンクのステータス、SeNBの信号強度、SeNBの信号品質、および、ベアラを介してUEによって送信されるべきデータパケットの量またはボリューム
のうちの少なくとも1つを測定することにより、UEによって取得された結果である。
【００９５】
具体的には、UEは、SeNBについての測定結果に従って決定する場合がある。たとえば、UEは、SeNBに対して無線リンク監視（Radio Link Monitoring、以下略してRLM）を実施し、RLMに従って、UEとSeNBとの間の無線リンク内で無線リンク障害（Radio Link Failure、以下略してRLF）が発生していると判断すると、UEは上記のように決定する。別の例を挙げると、UEはSeNBの信号強度または信号品質を測定し、測定結果に従って、SeNBの信号強度または信号品質があらかじめ設定されたしきい値よりも低いと判断すると、UEは上記のように決定する。UEは、Splitベアラを介して送信されるべきデータパケットの量、またはSplitベアラを介して送信されるべきデータパケットのバッファステータスに従って、上記の決定を行う場合もある。たとえば、UEは、Splitベアラを介して送信されるべきデータパケットの量、またはSplitベアラを介して送信されるべきデータパケットのバッファサイズがあらかじめ設定された値よりも小さいと判断すると、UEは上記のように決定する。
【００９６】
UEがSeNB上のSplitベアラの送信を中断するように決定することは、UEがSeNBからSplitベアラのダウンリンクデータをもはや受信せず、SeNBにSplitベアラのアップリンクデータをもはや送信しないように決定することを意味する。
【００９７】
s-MACエンティティをリセットすることは、具体的に、s-MACによって使用されたバッファを空にすること、s-MACによって使用されたステータス変数を再初期化すること、s-MACによって使用されたタイマを停止することなどを含み、s-RLCエンティティを中断することは、具体的に、s-RLCによるデータパケットの処理を停止すること、たとえば、データパケットの送信または受信を停止することを含む。
【００９８】
次いで、UEは、MeNBに中断指示を送信し、中断指示を受信した後、MeNBは、UEがSeNB上のSplitベアラのデータ送信を中断したと判断する。
【００９９】
本実施形態では、第2の基地局上のベアラのデータ送信を中断した後、ユーザ機器は、ユーザ機器が第2の基地局上のベアラのデータ送信を中断したことを示すために使用される中断指示を第1の基地局に送信する。ユーザ機器は、単独で、第2の基地局上のベアラのデータ送信を中断するべきかどうかを判定することができ、第1の基地局と対話して、第2の基地局上のベアラのデータ送信を中断するべきかどうかを第1の基地局に判定させる必要がないので、シグナリングのオーバーヘッドが削減される。加えて、第2の基地局上のベアラのデータ送信はサスペンド方式で停止され、ベアラに関係するプロトコルエンティティを削除する必要がなく、その結果、その後第2の基地局上のベアラのデータ送信が再開されると、関係するプロトコルエンティティを再確立する必要がなく、それにより、無線ベアラリソースの稼働率が効果的に改善される。
【０１００】
場合によっては、MeNBがUEによって送信された中断指示を受信した後、方法は、
MeNBにより、SeNBに中断要求を送信することであって、中断要求が、SeNB上のベアラのデータ送信を中断するようにSeNBに要求するために使用され、その結果、SeNBが、中断要求に従って、以下の動作：SeNB内の無線リンク制御エンティティ（ps-RLC）を中断することであって、ps-RLCがベアラと関連付けられる、中断することを実施するか、または、SeNBが、中断要求に従って、以下の動作：SeNB内の媒体アクセス制御エンティティ（ps-MAC）をリセットすることであって、ps-MACがベアラと関連付けられる、リセットすること、およびSeNB内の無線リンク制御エンティティ（ps-RLC）を中断することであって、ps-RLCがベアラと関連付けられる、中断することを実施する、送信すること
をさらに含む。SeNBが、Splitベアラと関連付けられた、SeNB内の媒体アクセス制御エンティティ（ps-MAC）をリセットすることはオプションステップであり、UEが中断の間にs-MACをリセットしたときのみ、SeNBは、それに対応してps-MACをリセットする必要があることを理解されたい。
【０１０１】
さらに場合によっては、MeNBがUEによって送信された中断指示を受信した後、方法は、
MeNBにより、UEによって送信された再開指示を受信することであって、場合によっては、再開指示はSplitベアラのベアラ識別子を搬送し、UEが、第2の測定結果に従って、SeNB上のSplitベアラのデータ送信が再開される必要があると判断した後、再開指示がUEによって送信される、受信することと、
MeNBにより、再開指示に従って、SeNBに第1の再開要求を送信することであって、第1の再開要求が、SeNB上のベアラのデータ送信を再開するようにSeNBに要求するために使用され、その結果、SeNBが、第1の再開要求に従って、Splitベアラのデータ送信を再開する、送信することと
をさらに含む。
【０１０２】
実際の適用例では、UEは、特定の時間間隔で、あらかじめ設定された測定対象を周期的に測定するように設定される場合があり、UEが、測定結果に従って、SeNB上のSplitベアラのデータ送信を中断するように決定した後、後続の測定においてUEによって取得された別の測定結果が、Splitベアラを介してデータ送信を続けることができることを示す場合、UEは、図5に示されたように、Splitベアラを再開するように決定し、MeNBに再開指示を送信する。
【０１０３】
具体的には、UEは、あらかじめ設定された測定対象についての新しい測定結果、すなわち、第2の測定結果に従って、再開するように決定する場合がある。たとえば、UEは、SeNBに対して無線リンク監視（Radio Link Monitoring、以下略してRLM）を実施し、RLMに従って、UEとSeNBとの間の無線リンクが正常接続状態に戻っていると判断すると、UEは再開するように決定する。別の例を挙げると、UEはSeNBの信号強度または信号品質を測定し、測定結果に従って、SeNBの信号強度または信号品質があらかじめ設定されたしきい値よりも高いと判断すると、UEは再開するように決定する。別の例を挙げると、UEは、Splitベアラを介して送信されるべきデータパケットの量、またはSplitベアラを介して送信されるべきデータパケットのバッファステータスに従って、決定する場合がある。たとえば、UEは、Splitベアラを介して送信されるべきデータパケットの量、またはSplitベアラを介して送信されるべきデータパケットのバッファサイズがあらかじめ設定された値よりも大きいと判断すると、再開するように決定する。
【０１０４】
UEによって送信された再開指示を受信した後、MeNBは、再開指示に従って、SeNBに第1の再開要求を送信し、その結果、SeNBは、第1の再開要求に従って、SeNB上のSplitベアラのデータ送信を再開する。
【０１０５】
具体的には、第1の再開要求を受信した後、SeNBは、第1の再開要求に従って、以下の動作：SeNB内の無線リンク制御エンティティ（ps-RLC）を再確立し、ps-RLCを再開することであって、ps-RLCがベアラと関連付けられる、再開することを実施するか、または、第1の再開要求に従って、以下の動作：SeNB内の媒体アクセス制御エンティティ（ps-MAC）をリセットすることであって、ps-MACがベアラと関連付けられる、リセットすること、および、SeNB内の無線リンク制御エンティティ（ps-RLC）を再確立し、ps-RLCを再開することであって、ps-RLCがベアラと関連付けられる、再開することを実施する。ps-RLCエンティティを再確立することは、具体的に、たとえば、受信に成功したデータパケットをMeNBに送信すること、送信される必要があるが送信に成功していないデータパケットを廃棄すること、ps-RLCエンティティによって使用されたタイマを停止しリセットすること、ps-RLCエンティティによって使用されたステータス変数を再初期化することなどを含む。ps-RLCを再開することは、ps-RLCエンティティによりデータパケットの処理を開始することを意味する。
【０１０６】
場合によっては、MeNBによって送信される再開要求は、原因指示をさらに含む場合があり、原因指示は、Splitベアラを再開する理由を示すために使用される。たとえば、UEによるSeNBに対する測定の結果が、UEとSeNBとの間の無線リンク内でRLFが発生したことであるとき、原因指示は、UEとSeNBとの間のRLFが取り除かれたことを示すRLFの値を有する場合がある。
【０１０７】
場合によっては、再開要求は2つのリストを含む場合がある。一方のリストは、SeNBが追加する必要があるベアラの識別子を収容するために使用され、他方のリストは、SeNBが解放する必要があるベアラの識別子を収容するために使用される。再開される必要があるSplitベアラの識別子は、2つのリストの両方に収容され、そのようにして、SeNBは、Splitベアラが再開される必要があることを通知される。
【０１０８】
さらに場合によっては、MeNBがUEによって送信された中断指示を受信した後、方法は、
MeNBにより、SeNB上のベアラのデータ送信が再開される必要があると判断することと、
MeNBにより、ユーザ機器に再開コマンドを送信し、SeNBに第2の再開要求を送信することであって、再開コマンドが、SeNB上のベアラのデータ送信を再開するようにUEに命令するために使用され、第2の再開要求が、SeNB上のベアラのデータ送信を再開するようにSeNBに要求するために使用される、送信することと
をさらに含む。
【０１０９】
具体的には、MeNBがSeNB上のベアラのデータ送信が再開される必要があると判断することは、以下の判断方式：MeNBにより、SeNB上のSplitベアラのデータ送信を再開するべきかどうかを判定し、
はいの場合、MeNBにより、UEに再開コマンドを送信し、SeNBに第2の再開要求を送信することであって、その結果、UEおよびSeNBが、再開コマンドおよび第2の再開要求に従って、SeNB上のベアラのデータ送信を個別に再開する、送信することにおいて実施される場合がある。
【０１１０】
MeNBがSeNB上のSplitベアラのデータ送信を再開するべきかどうかを判定することは、以下の方式：
MeNBにより、UEによって送信された第2の測定結果を受信することと、
MeNBにより、第2の測定結果に従って、SeNB上のSplitベアラのデータ送信を再開するべきかどうかを判定することと
において実施される場合がる。
【０１１１】
UEが、単独で、SeNBについてのその新しい測定結果に従って、SeNB上のSplitベアラのデータ送信を再開するべきかどうかを判定する上記の説明とは異なり、本実施形態では、図4および図6に示されたように、SeNB上のSplitベアラのデータ送信を再開するべきかどうかは、以下の方式：UEにより、MeNBに第2の測定結果を送信し、MeNBにより、第2の測定結果に従って、SeNB上のSplitベアラのデータ送信を再開するべきかどうかを判定することにおいて判定される場合がある。同様に、SeNB上でSplitベアラのデータ送信を続けることができることを第2の測定結果が示す場合、SeNB上のSplitベアラのデータ送信を再開するように判断される。
【０１１２】
場合によっては、MeNBは、他の要因に従って、たとえば、MeNBによって測定された、Splitベアラを介して送信されるべきデータパケットの量などの要因に従って、SeNB上のSplitベアラのデータ送信を再開するべきかどうかを判定する場合がある。
【０１１３】
次いで、MeNBは、UEに再開コマンドを送信し、その結果、UEは、再開コマンドに従って、SeNB上のSplitベアラのデータ送信を再開する。具体的には、UEは、再開コマンドに従って、UE内の無線リンク制御エンティティ（s-RLC）を再確立し、s-RLCを再開し、s-RLCはベアラと関連付けられ、SeNBに対応する。加えて、MeNBはまた、SeNBに第2の再開要求を送信し、その結果、SeNBは、第2の再開要求に従って、SeNB上のSplitベアラのデータ送信を再開する。具体的には、SeNBは、第2の再開要求に従って、以下の動作：SeNB内の無線リンク制御エンティティ（ps-RLC）を再確立し、ps-RLCを再開することであって、ps-RLCがベアラと関連付けられる、再開することを実施するか、または、第2の再開要求に従って、以下の動作：SeNB内の媒体アクセス制御エンティティ（ps-MAC）をリセットすることであって、ps-MACがベアラと関連付けられる、リセットすること、および、SeNB内の無線リンク制御エンティティ（ps-RLC）を再確立し、ps-RLCを再開することであって、ps-RLCがベアラと関連付けられる、再開することを実施する。
【０１１４】
本実施形態では、ユーザ機器は、単独で、ベアラのデータ送信を中断するべきかどうかを判定することができ、第1の基地局と対話して、第2の基地局上のベアラのデータ送信を中断するべきかどうかを第1の基地局に判定させる必要がないので、シグナリングのオーバーヘッドが削減される。加えて、第2の基地局上のベアラのデータ送信はサスペンド方式で停止され、ベアラに関係するプロトコルエンティティを削除する必要がなく、その結果、その後第2の基地局上のベアラのデータ送信が再開されると、ベアラが再開され、ベアラに関係するプロトコルエンティティを再確立する必要がなく、それにより、無線ベアラリソースの稼働率が効果的に改善される。その上、ユーザ機器は、単独で、第2の基地局上のベアラのデータ送信を再開するべきかどうかも判定することができ、それにより、シグナリングのオーバーヘッドがさらに削減される。
【０１１５】
図8は、本発明の実施形態6による、無線ベアラの処理方法のフローチャートである。
図8に示されたように、方法は以下を含む。
【０１１６】
ステップ301．第2の基地局が第2の基地局上のベアラのデータ送信を中断する。
【０１１７】
ステップ302．第2の基地局が第1の基地局に中断指示を送信し、中断指示は、第2の基地局が第2の基地局上のベアラのデータ送信を中断したことを示すために使用される。
【０１１８】
まだ例としてSplitベアラを使用すると、すべての上記の実施形態は、UEがSplitベアラを中断するプロセスを能動的にトリガする観点から記載されている。本実施形態では、場合によっては、SeNBが第2の基地局上のベアラのデータ送信を中断するプロセスをトリガする場合がある。具体的には、SeNBは、測定結果に従って、SeNB上のベアラのデータ送信が中断される必要があると判断する場合がある。具体的には、これは、以下の判断方式：
SeNBにより、測定結果に従って、第2の基地局上のベアラのデータ送信を中断するべきかどうかを判定し、
はいの場合、SeNBにより、以下の動作：SeNB内の無線リンク制御エンティティ（ps-RLC）を中断することであって、ps-RLCがベアラと関連付けられる、中断することを実施するか、または、SeNBにより、以下の動作：SeNB内の媒体アクセス制御エンティティ（ps-MAC）をリセットすることであって、ps-MACがベアラと関連付けられる、リセットすること、および、SeNB内の無線リンク制御エンティティ（ps-RLC）を中断することであって、ps-RLCがベアラと関連付けられる、中断することを実施すること
において実施される場合がある。
【０１１９】
以下でUEの別の測定結果と区別するために、それに従って第2の基地局上のベアラのデータ送信が中断される必要があるとSeNBが判断する上記の測定結果は、第1の測定結果と呼ばれ、第1の測定結果は、以下の測定対象：
UEのアップリンク信号強度、UEのアップリンク信号品質、および無線リンク制御エンティティ（ps-RLC）の再送信の回数
のうちの少なくとも1つを測定することにより、SeNBによって取得された結果である。具体的には、SeNBは、UEによって送信されたアップリンク信号の強度または品質の測定値に従って中断するように決定する場合があるか、またはSeNBは、ps-RLCがUEにデータパケットを送信した後に、ps-RLCエンティティが再送信の最大回数に達したかどうかに従って中断するように決定する場合があり、ps-RLCがUEによってフィードバックされる受信成功指示を取得しない場合、ps-RLCはデータパケットを繰り返し送信し、ps-RLCが同じデータパケットを繰り返し送信した回数があらかじめ設定された値に達した後、SeNBは中断するように決定する。
【０１２０】
次いで、SeNBはMeNBに中断指示を送信し、場合によっては、中断指示はSplitベアラのベアラ識別子を搬送し、その結果、MeNBは、中断指示内で搬送されたベアラ識別子に従って、対応するUEを特定し、中断指示に従って、特定されたUEに中断コマンドを送信し、その結果、UEは、中断コマンドに従って、SeNB上のSplitベアラのデータ送信を中断する。UEの中断動作は上記の実施形態において記載されており、詳細は再び記載されない。
【０１２１】
UEとSeNBとの間のSplitベアラが中断されたが、UEは、特定の時間間隔で、以下のあらかじめ設定された測定対象：UEとSeNBとの間の無線リンクのステータス、SeNBの信号強度、SeNBの信号品質、およびSplitベアラを介してUEによって送信されるべきデータパケットの量またはボリュームのうちの少なくとも1つを周期的に測定する。場合によっては、UEは、単独で、測定結果、すなわち第2の測定結果に従って、SeNB上のSplitベアラのデータ送信を再開するべきかどうかを判定する場合がある。
【０１２２】
具体的には、UEは、第2の測定結果に従って、再開するように決定する場合がある。たとえば、UEは、SeNBに対して無線リンク監視（Radio Link Monitoring、以下略してRLM）を実施し、RLMに従って、UEとSeNBとの間の無線リンクが正常接続状態に戻っていると判断すると、UEは再開するように決定する。別の例を挙げると、UEはSeNBの信号強度または信号品質を測定し、測定結果に従って、SeNBの信号強度または信号品質があらかじめ設定されたしきい値よりも高いと判断すると、UEは再開するように決定する。別の例を挙げると、UEは、Splitベアラを介して送信されるべきデータパケットの量、またはSplitベアラを介して送信されるべきデータパケットのバッファステータスに従って、上記の決定を行う場合もある。たとえば、UEは、Splitベアラを介して送信されるべきデータパケットの量、またはSplitベアラを介して送信されるべきデータパケットのバッファサイズがあらかじめ設定された値よりも大きいと判断すると、再開するように決定する。
【０１２３】
さらに場合によっては、図9に示されたように、UEはMeNBに第2の測定結果を送信する場合があり、その結果、MeNBは、第2の測定結果に従って、SeNB上のSplitベアラのデータ送信を再開するべきかどうかを判定し、MeNBがデータ送信を再開するように決定するための条件は、UEのための条件と同様であり、詳細は再び記載されない。
【０１２４】
次いで、MeNBが、第2の測定結果に従って、SeNB上のベアラのデータ送信が再開される必要があると判断した後、図9に示されたように、MeNBはSeNBに再開要求を送信し、SeNBは、再開要求に従って、SeNB上のSplitベアラのデータ送信を再開する。具体的には、SeNBは、再開要求に従って、SeNB内の無線リンク制御エンティティ（ps-RLC）を再確立し、ps-RLCを再開し、ps-RLCはベアラと関連付けられる。
【０１２５】
場合によっては、MeNBが、第2の測定結果に従って、SeNB上のSplitベアラのデータ送信を再開するように決定した後、MeNBは、さらに、UEに再開コマンドを送信する場合があり、その結果、UEはSplitベアラのデータ送信を再開する。
【０１２６】
図10（a）および図10（b）は、本発明の実施形態8による、無線ベアラの処理方法のシグナリング対話の概略図である。さらに場合によっては、図5に示された実施形態に基づいて図10（a）に示されたように、かつ、図6に示された実施形態に基づいて図10（b）に示されたように、UEがSplitベアラの中断を能動的にトリガし、MeNBがUEによって送信された中断指示を受信した後SeNBに中断要求を送信しないケースでは、SeNBは、UEのアップリンク信号の強度もしくは品質のその測定値に従って、またはSeNB内の無線リンク制御エンティティ（ps-RLC）の再送信の回数についての測定結果に従って、SeNB上のSplitベアラのデータ送信を中断し、Splitベアラと関連付けられたSeNB内の媒体アクセス制御エンティティ（ps-MAC）をリセットし、Splitベアラと関連付けられたSeNB内の無線リンク制御エンティティ（ps-RLC）を中断するように決定する場合がある。それに対応して、MeNBによって送信された再開要求を受信した後、SeNBは、Splitベアラに対応するSeNB内の無線リンク制御エンティティ（ps-RLC）を再確立し、Splitベアラに対応するSeNB内の無線リンク制御エンティティ（ps-RLC）を再開する必要があるだけで、Splitベアラに対応するSeNB内の媒体アクセス制御エンティティ（ps-MAC）をリセットする必要はもはやない。
【０１２７】
UEがSplitベアラの中断を能動的にトリガするプロセスでは、MeNBがSeNBに中断要求を送信するかどうかにかかわらず、SeNBは、SeNBによるSplitベアラを中断するプロセスをトリガできることを理解されたい。同様の時点で、UEおよびSeNBは同様の無線チャネル環境に遭遇し、UEによりSeNBの信号または2つの間のリンクを測定した結果は、SeNBによりUEの信号または2つの間のリンクを測定した結果と同様であり、したがって、SeNBがMeNBから中断要求を受信しなかった場合でも、SeNBは、その測定結果に従って、SeNB上のSplitベアラのデータ送信を中断するべきかどうかを判定することができる。
【０１２８】
本実施形態では、第2の基地局は、単独で、Splitベアラのデータ送信を中断するべきかどうかを判定することができ、第1の基地局と対話する必要がないので、シグナリングのオーバーヘッドが削減される。加えて、第2の基地局上のSplitベアラのデータ送信は、Splitベアラを中断することによって停止され、Splitベアラに関係するプロトコルエンティティを削除する必要がなく、その結果、その後第2の基地局上のSplitベアラのデータ送信が再開されると、Splitベアラが再開され、Splitベアラに関係するプロトコルエンティティを再確立する必要がなく、それにより、無線ベアラリソースの稼働率が効果的に改善される。その上、ユーザ機器も、単独で、第2の基地局上のSplitベアラのデータ送信を再開するべきかどうかを判定することができ、それにより、シグナリングのオーバーヘッドがさらに削減される。
【０１２９】
図11は、本発明の実施形態9による、ユーザ機器の概略構造図である。図11に示されたように、ユーザ機器は、
第2の基地局上のベアラのデータ送信を中断するように構成された処理モジュール11と、
第1の基地局に中断指示を送信するように構成された送信モジュール12であって、中断指示が、ユーザ機器が第2の基地局上のベアラのデータ送信を中断したことを示すために使用される、送信モジュール12と
を含む。
【０１３０】
さらに、処理モジュール11は、
第1の測定結果に従って、第2の基地局上のベアラのデータ送信が中断される必要があると判断するように構成された判断ユニット111と、
以下の動作：
ユーザ機器内の無線リンク制御エンティティ（s-RLC）を中断することであって、s-RLCがベアラと関連付けられ、第2の基地局に対応する、中断することを実施するように構成された処理ユニット112、または
以下の動作：
ユーザ機器内の媒体アクセス制御エンティティ（s-MAC）をリセットすることであって、s-MACがベアラと関連付けられ、第2の基地局に対応する、リセットすること、および
ユーザ機器内の無線リンク制御エンティティ（s-RLC）を中断することであって、s-RLCがベアラと関連付けられ、第2の基地局に対応する、中断することを実施するように構成された処理ユニット112と
を含む。
【０１３１】
さらに、ユーザ機器は、
第1の基地局によって送信された中断コマンドを受信するように構成された受信モジュール21であって、中断コマンドが、第2の基地局上のベアラのデータ送信を中断するようにユーザ機器に命令するために使用される、受信モジュール21
をさらに含み、
それに対応して、処理ユニット112は、以下の動作：
ユーザ機器内の無線リンク制御エンティティ（s-RLC）を中断することであって、s-RLCがベアラと関連付けられ、第2の基地局に対応する、中断することを実施するようにさらに構成されるか、または
処理ユニット112は、以下の動作：
ユーザ機器内の媒体アクセス制御エンティティ（s-MAC）をリセットすることであって、s-MACがベアラと関連付けられ、第2の基地局に対応する、リセットすること、および
ユーザ機器内の無線リンク制御エンティティ（s-RLC）を中断することであって、s-RLCがベアラと関連付けられ、第2の基地局に対応する、中断することを実施するようにさらに構成される。
【０１３２】
さらに、中断指示は、第2の基地局に中断要求を送信するように第1の基地局に命令するためにさらに使用され、中断要求は、第2の基地局上のベアラのデータ送信を中断するように第2の基地局に要求するために使用される。
【０１３３】
さらに、判断ユニット111は、第2の測定結果に従って、第2の基地局上のベアラのデータ送信が再開される必要があると判断するようにさらに構成され、
処理ユニットは、ユーザ機器内の無線リンク制御エンティティ（s-RLC）を再確立し、s-RLCを再開するようにさらに構成され、s-RLCはベアラと関連付けられ、第2の基地局に対応し、
処理モジュール11は、
第1の基地局に再開指示を送信するように構成された送信ユニット113であって、再開指示が、第2の基地局に再開要求を送信するように第1の基地局に命令するために使用され、再開要求が、第2の基地局上のベアラのデータ送信を再開するように第2の基地局に要求するために使用される、送信ユニット113
をさらに含む。
【０１３４】
さらに、送信ユニット113は、第1の基地局に第2の測定結果を送信するようにさらに構成され、
処理ユニット112は、第1の基地局によって送信された再開コマンドを受信し、再開コマンドに従って、ユーザ機器内の無線リンク制御エンティティ（s-RLC）を再確立し、s-RLCを再開するようにさらに構成され、s-RLCはベアラと関連付けられ、第2の基地局に対応し、第1の基地局が、第2の測定結果に従って、第2の基地局上のベアラのデータ送信が再開される必要があると判断した後に、再開コマンドは第1の基地局によって送信される。
【０１３５】
本実施形態のユーザ機器は、図3に示された方法実施形態の技術的解決策を実行するように構成される場合がある。ユーザ機器の実装原理および技術的効果は、図3に示された方法実施形態のそれらと同様であり、詳細は再び記載されない。
【０１３６】
図12は、本発明の実施形態10による、第1の基地局の概略構造図である。図12に示されたように、第1の基地局は、
ユーザ機器によって送信された中断指示を受信するように構成された受信モジュール31と、
中断指示に従って、ユーザ機器が第2の基地局上のベアラのデータ送信を中断すると判断するように構成された処理モジュール32と
を含む。
【０１３７】
さらに、第1の基地局は、
第2の基地局に中断要求を送信するように構成された送信モジュール33であって、中断要求が、第2の基地局上のベアラのデータ送信を中断するように第2の基地局に要求するために使用される、送信モジュール33
をさらに含む。
【０１３８】
具体的には、送信モジュール33は、具体的に、
第2の基地局に中断要求を送信することであって、中断要求が、以下の動作：
第2の基地局内の無線リンク制御エンティティ（ps-RLC）を中断することであって、ps-RLCがベアラと関連付けられる、中断することを実施するように第2の基地局に要求するために使用される、送信すること、または
第2の基地局に中断要求を送信することであって、中断要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断することを実施するように第2の基地局に要求するために使用される、送信すること
を行うように構成される。
【０１３９】
さらに、受信モジュール31は、
ユーザ機器によって送信された再開指示を受信するようにさらに構成され、
送信モジュール33は、再開指示に従って、第2の基地局に第1の再開要求を送信するようにさらに構成され、第1の再開要求は、第2の基地局上のベアラのデータ送信を再開するように第2の基地局に要求するために使用される。
【０１４０】
さらに、送信モジュール33は、具体的に、
再開指示に従って、第2の基地局に第1の再開要求を送信することであって、第1の再開要求が、以下の動作：
第2の基地局内の無線リンク制御エンティティ（ps-RLC）を再確立し、ps-RLCを再開することであって、ps-RLCがベアラと関連付けられる、再開することを実施するように第2の基地局に要求するために使用される、送信すること、または
再開指示に従って、第2の基地局に第1の再開要求を送信することであって、第1の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開することを実施するように第2の基地局に要求するために使用される、送信すること
を行うように構成される。
【０１４１】
さらに、第1の基地局は、
第2の基地局上のベアラのデータ送信が中断される必要があると判断するように構成された判断モジュール34
をさらに含み、
送信モジュール33は、ユーザ機器に再開コマンドを送信し、第2の基地局に第2の再開要求を送信するようにさらに構成され、再開コマンドは、第2の基地局上のベアラのデータ送信を再開するようにユーザ機器に命令するために使用され、第2の再開要求は、第2の基地局上のベアラのデータ送信を再開するように第2の基地局に要求するために使用される。
【０１４２】
さらに、受信モジュール31は、
ユーザ機器によって送信された第2の測定結果を受信するようにさらに構成され、
判断モジュール34は、第2の測定結果に従って、第2の基地局上のベアラのデータ送信が再開される必要があると判断するようにさらに構成される。
【０１４３】
さらに、送信モジュール33は、具体的に、
ユーザ機器に再開コマンドを送信することであって、再開コマンドが、ユーザ機器内の無線リンク制御エンティティ（s-RLC）を再確立し、s-RLCを再開するようにユーザ機器に命令するために使用され、s-RLCがベアラと関連付けられ、第2の基地局に対応する、送信すること
を行うように構成される。
【０１４４】
さらに、送信モジュール33は、具体的に、
第2の基地局に第2の再開要求を送信することであって、第2の再開要求が、以下の動作：
第2の基地局内の無線リンク制御エンティティ（ps-RLC）を再確立し、ps-RLCを再開することであって、ps-RLCがベアラと関連付けられる、再開することを実施するように第2の基地局に要求するために使用される、送信すること、または
第2の基地局に第2の再開要求を送信することであって、第2の再開要求が、以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を再確立し、ps-RLCを再開することであって、ps-RLCがベアラと関連付けられる、再開することを実施するように第2の基地局に要求するために使用される、送信すること
を行うように構成される。
【０１４５】
具体的には、第1の測定結果および第2の測定結果は、以下の測定対象：
ユーザ機器と第2の基地局との間の無線リンクのステータス、第2の基地局の信号強度、第2の基地局の信号品質、および、ベアラを介してユーザ機器によって送信されるべきデータパケットの量またはボリューム
のうちの少なくとも1つを測定することにより、ユーザ機器によって取得された結果である。
【０１４６】
本実施形態の第1の基地局は、図7に示された方法実施形態の技術的解決策を実行するように構成される場合がある。第1の基地局の実装原理および技術的効果は、図7に示された方法実施形態のそれらと同様であり、詳細は再び記載されない。
【０１４７】
図13は、本発明の実施形態11による、第2の基地局の概略構造図である。図13に示されたように、第2の基地局は、
第2の基地局上のベアラのデータ送信を中断するように構成された処理モジュール41と、
第1の基地局に中断指示を送信するように構成された送信モジュール42であって、中断指示が、第2の基地局が第2の基地局上のベアラのデータ送信を中断したことを示すために使用される、送信モジュール42と
を含む。
【０１４８】
さらに、処理モジュール41は、
測定結果に従って、第2の基地局上のベアラのデータ送信が中断される必要があると判断するように構成された判断ユニット411と、
以下の動作：
第2の基地局内の無線リンク制御エンティティ（ps-RLC）を中断することであって、ps-RLCがベアラと関連付けられる、中断することを実施するように構成された処理ユニット412、または
以下の動作：
第2の基地局内の媒体アクセス制御エンティティ（ps-MAC）をリセットすることであって、ps-MACがベアラと関連付けられる、リセットすること、および
第2の基地局内の無線リンク制御エンティティ（ps-RLC）を中断することであって、ps-RLCがベアラと関連付けられる、中断することを実施するように構成された処理ユニット412と
を含む。
【０１４９】
さらに、中断指示は、ユーザ機器に中断コマンドを送信するように第1の基地局に命令するためにさらに使用され、中断コマンドは、第2の基地局上のベアラのデータ送信を中断するようにユーザ機器に命令するために使用される。
【０１５０】
さらに、第2の基地局は、
第1の基地局によって送信された再開要求を受信するように構成された受信モジュール43
をさらに含み、
処理モジュール41は、再開要求に従って、第2の基地局上のベアラのデータ送信を再開するようにさらに構成される。
【０１５１】
さらに、処理モジュール41は、具体的に、
再開要求に従って、第2の基地局内の無線リンク制御エンティティ（ps-RLC）を再確立し、ps-RLCを再開することであって、ps-RLCがベアラと関連付けられる、再開すること
を行うように構成される。
【０１５２】
具体的には、測定結果は、以下の測定対象：
ユーザ機器のアップリンク信号強度、ユーザ機器のアップリンク信号品質、および無線リンク制御エンティティ（ps-RLC）の再送信の回数
のうちの少なくとも1つを測定することにより、第2の基地局によって取得された結果である。
【０１５３】
本実施形態の第2の基地局は、図8に示された方法実施形態の技術的解決策を実行するように構成される場合がある。第2の基地局の実装原理および技術的効果は、図8に示された方法実施形態のそれらと同様であり、詳細は再び記載されない。
【０１５４】
図14は、本発明の実施形態12による、ユーザ機器の概略構造図である。図14に示されたように、ユーザ機器は、
メモリ51と、メモリ51に接続されたプロセッサ52とを含み、メモリ51はプログラムコード一式を記憶するように構成され、プロセッサ52は、メモリ51に記憶されたプログラムコードを呼び出して、図3に示された無線ベアラの処理方法：第2の基地局上のベアラのデータ送信を中断することを実行するように構成され、
ユーザ機器は送信機53をさらに含み、送信機53はバスによってプロセッサ52に接続され、送信機は、第1の基地局に中断指示を送信するように構成され、中断指示は、ユーザ機器が第2の基地局上のベアラのデータ送信を中断したことを示すために使用される。
【０１５５】
さらに、プロセッサ52は、第1の測定結果に従って、第2の基地局上のベアラのデータ送信が中断される必要があると判断するようにさらに構成され、プロセッサ52は、以下の動作：ユーザ機器内の無線リンク制御エンティティ（s-RLC）を中断することであって、s-RLCがベアラと関連付けられ、第2の基地局に対応する、中断することを実施するようにさらに構成されるか、またはプロセッサ52は、以下の動作：ユーザ機器内の媒体アクセス制御エンティティ（s-MAC）をリセットすることであって、s-MACがベアラと関連付けられ、第2の基地局に対応する、リセットすること、およびユーザ機器内の無線リンク制御エンティティ（s-RLC）を中断することであって、s-RLCがベアラと関連付けられ、第2の基地局に対応する、中断することを実施するようにさらに構成される。
【０１５６】
さらに、ユーザ機器は受信機54をさらに含み、受信機54は、第1の基地局によって送信された中断コマンドを受信するように構成され、中断コマンドは、第2の基地局上のベアラのデータ送信を中断するようにユーザ機器に命令するために使用され、
プロセッサ52は、中断コマンドに従って、以下の動作：ユーザ機器内の無線リンク制御エンティティ（s-RLC）を中断することであって、s-RLCがベアラと関連付けられ、第2の基地局に対応する、中断することを実施するようにさらに構成されるか、またはプロセッサ52は、中断コマンドに従って、以下の動作：ユーザ機器内の媒体アクセス制御エンティティ（s-MAC）をリセットすることであって、s-MACがベアラと関連付けられ、第2の基地局に対応する、リセットすること、およびユーザ機器内の無線リンク制御エンティティ（s-RLC）を中断することであって、s-RLCがベアラと関連付けられ、第2の基地局に対応する、中断することを実施するようにさらに構成される。
【０１５７】
さらに、中断指示は、第2の基地局に中断要求を送信するように第1の基地局に命令するためにさらに使用され、中断要求は、第2の基地局上のベアラのデータ送信を中断するように第2の基地局に要求するために使用される。
【０１５８】
さらに、プロセッサ52は、第2の測定結果に従って、第2の基地局上のベアラのデータ送信が再開される必要があると判断することと、ユーザ機器内の無線リンク制御エンティティ（s-RLC）を再確立し、s-RLCを再開することとを行うようにさらに構成され、s-RLCはベアラと関連付けられ、第2の基地局に対応する。
【０１５９】
送信機53は、第1の基地局に再開指示を送信するようにさらに構成され、再開指示は、第2の基地局に再開要求を送信するように第1の基地局に命令するために使用され、再開要求は、第2の基地局上のベアラのデータ送信を再開するように第2の基地局に要求するために使用される。
【０１６０】
さらに、送信機53は、第1の基地局に第2の測定結果を送信するようにさらに構成され、
受信機54は、第1の基地局によって送信された再開コマンドを受信するようにさらに構成され、
プロセッサ52は、再開コマンドに従って、ユーザ機器内の無線リンク制御エンティティ（s-RLC）を再確立し、s-RLCを再開するようにさらに構成され、s-RLCはベアラと関連付けられ、第2の基地局に対応し、第1の基地局が、第2の測定結果に従って、第2の基地局上のベアラのデータ送信が再開される必要があると判断した後に、再開コマンドは第1の基地局によって送信される。
【０１６１】
第1の測定結果および第2の測定結果は、以下の測定対象：
ユーザ機器と第2の基地局との間の無線リンクのステータス、第2の基地局の信号強度、第2の基地局の信号品質、および、ベアラを介してユーザ機器によって送信されるべきデータパケットの量またはボリューム
のうちの少なくとも1つを測定することにより、ユーザ機器によって取得された結果である。
【０１６２】
図15は、本発明の実施形態13による、第1の基地局の概略構造図である。図15に示されたように、第1の基地局は、
ユーザ機器によって送信された中断指示を受信するように構成された受信機61と、
メモリ62と、メモリ62に接続されたプロセッサ63とを含み、プロセッサ63はバスによって受信機61に接続され、メモリ62はプログラムコード一式を記憶するように構成され、プロセッサ63は、メモリ62に記憶されたプログラムコードを呼び出して、図7に示された無線ベアラの処理方法：中断指示に従って、ユーザ機器が第2の基地局上のベアラのデータ送信を中断すると判断することを実行するように構成される。
【０１６３】
第1の基地局は、第2の基地局に中断要求を送信するように構成された送信機64をさらに含み、中断要求は、第2の基地局上のベアラのデータ送信を中断するように第2の基地局に要求するために使用される。
【０１６４】
さらに、送信機64は、第2の基地局に中断要求を送信するようにさらに構成され、中断要求は、以下の動作：第2の基地局内の無線リンク制御エンティティ（ps-RLC）を中断することであって、ps-RLCがベアラと関連付けられる、中断することを実施するように第2の基地局に要求するために使用されるか、または、中断要求は、以下の動作：第2の基地局内の媒体アクセス制御エンティティ（ps-MAC）をリセットすることであって、ps-MACがベアラと関連付けられる、リセットすること、および第2の基地局内の無線リンク制御エンティティ（ps-RLC）を中断することであって、ps-RLCがベアラと関連付けられる、中断することを実施するように第2の基地局に要求するために使用される。
【０１６５】
さらに、受信機61は、ユーザ機器によって送信された再開指示を受信するようにさらに構成され、
送信機64は、再開指示に従って、第2の基地局に第1の再開要求を送信するようにさらに構成され、第1の再開要求は、第2の基地局上のベアラのデータ送信を再開するように第2の基地局に要求するために使用される。
【０１６６】
さらに、送信機64は、再開指示に従って、第2の基地局に第1の再開要求を送信するようにさらに構成され、第1の再開要求は、以下の動作：第2の基地局内の無線リンク制御エンティティ（ps-RLC）を再確立し、ps-RLCを再開することであって、ps-RLCがベアラと関連付けられる、再開することを実施するように第2の基地局に要求するために使用されるか、または、第1の再開要求は、以下の動作：第2の基地局内の媒体アクセス制御エンティティ（ps-MAC）をリセットすることであって、ps-MACがベアラと関連付けられる、リセットすること、および第2の基地局内の無線リンク制御エンティティ（ps-RLC）を再確立し、ps-RLCを再開することであって、ps-RLCがベアラと関連付けられる、再開することを実施するように第2の基地局に要求するために使用される。
【０１６７】
さらに、プロセッサ63は、第2の基地局上のベアラのデータ送信が再開される必要があると判断するようにさらに構成され、
送信機64は、ユーザ機器に再開コマンドを送信し、第2の基地局に第2の再開要求を送信するようにさらに構成され、再開コマンドは、第2の基地局上のベアラのデータ送信を再開するようにユーザ機器に命令するために使用され、第2の再開要求は、第2の基地局上のベアラのデータ送信を再開するように第2の基地局に要求するために使用される。
【０１６８】
さらに、受信機61は、ユーザ機器によって送信された第2の測定結果を受信するようにさらに構成され、
それに対応して、プロセッサ63は、第2の測定結果に従って、第2の基地局上のベアラのデータ送信が再開される必要があると判断するようにさらに構成される。
【０１６９】
さらに、送信機64は、ユーザ機器に再開コマンドを送信するようにさらに構成され、再開コマンドは、ユーザ機器内の無線リンク制御エンティティ（s-RLC）を再確立し、s-RLCを再開するようにユーザ機器に命令するために使用され、s-RLCはベアラと関連付けられ、第2の基地局に対応する。
【０１７０】
さらに、送信機64は、第2の基地局に第2の再開要求を送信するようにさらに構成され、第2の再開要求は、以下の動作：第2の基地局内の無線リンク制御エンティティ（ps-RLC）を再確立し、ps-RLCを再開することであって、ps-RLCがベアラと関連付けられる、再開することを実施するように第2の基地局に要求するために使用されるか、または、第2の再開要求は、以下の動作：第2の基地局内の媒体アクセス制御エンティティ（ps-MAC）をリセットすることであって、ps-MACがベアラと関連付けられる、リセットすること、および第2の基地局内の無線リンク制御エンティティ（ps-RLC）を再確立し、ps-RLCを再開することであって、ps-RLCがベアラと関連付けられる、再開することを実施するように第2の基地局に要求するために使用される。
【０１７１】
図16は、本発明の実施形態14による、第2の基地局の概略構造図である。図16に示されたように、第2の基地局は、
メモリ71と、メモリ71に接続されたプロセッサ72とを含み、メモリ71はプログラムコード一式を記憶するように構成され、プロセッサ72は、メモリ71に記憶されたプログラムコードを呼び出して、図8に示された無線ベアラの処理方法：第2の基地局上のベアラのデータ送信を中断することを実行するように構成され、
第2の基地局は送信機73をさらに含み、送信機73はバスによってプロセッサ72に接続され、送信機73は、第1の基地局に中断指示を送信するように構成され、中断指示は、第2の基地局が第2の基地局上のベアラのデータ送信を中断したことを示すために使用される。
【０１７２】
さらに、プロセッサ72は、測定結果に従って、第2の基地局上のベアラのデータ送信が中断される必要があると判断するようにさらに構成され、プロセッサ72は、以下の動作：第2の基地局内の無線リンク制御エンティティ（ps-RLC）を中断することであって、ps-RLCがベアラと関連付けられる、中断することを実施するようにさらに構成されるか、またはプロセッサ72は、以下の動作：第2の基地局内の媒体アクセス制御エンティティ（ps-MAC）をリセットすることであって、ps-MACがベアラと関連付けられる、リセットすること、および第2の基地局内の無線リンク制御エンティティ（ps-RLC）を中断することであって、ps-RLCがベアラと関連付けられる、中断することを実施するようにさらに構成される。
【０１７３】
さらに、中断指示は、ユーザ機器に中断コマンドを送信するように第1の基地局に命令するためにさらに使用され、中断コマンドは、第2の基地局上のベアラのデータ送信を中断するようにユーザ機器に命令するために使用される。
【０１７４】
さらに、第2の基地局は、第1の基地局によって送信された再開要求を受信するように構成された受信モジュール74をさらに含み、
プロセッサ72は、再開要求に従って、第2の基地局上のベアラのデータ送信を再開するようにさらに構成される。
【０１７５】
さらに、プロセッサ72は、再開要求に従って、第2の基地局内の無線リンク制御エンティティ（ps-RLC）を再確立し、ps-RLCを再開するようにさらに構成され、ps-RLCはベアラと関連付けられる。
【０１７６】
測定結果は、以下の測定対象：
ユーザ機器のアップリンク信号強度、ユーザ機器のアップリンク信号品質、および無線リンク制御エンティティ（ps-RLC）の再送信の回数
のうちの少なくとも1つを測定することにより、第2の基地局によって取得された結果である。
【０１７７】
当業者は、方法実施形態のステップのうちのすべてまたはいくつかが、関連するハードウェアに命令するプログラムによって実施される得ることを理解することができる。プログラムは、コンピュータ可読記憶媒体に記憶される場合がある。プログラムが走るとき、方法実施形態のステップが実施される。上記の記憶媒体には、ROM、RAM、磁気ディスク、または光ディスクなどの、プログラムコードを記憶することができる任意の媒体が含まれる。
【０１７８】
最後に、上記の実施形態は、本発明の技術的解決策を記載するためのものであるにすぎず、本発明を限定するためではないことに留意されたい。本発明は上記の実施形態を参照して詳細に記載されたが、当業者は、本発明の実施形態の技術的解決策の範囲から逸脱することなく、上記の実施形態において記載された技術的解決策にさらに修正を行うか、またはそれらのいくつかもしくはすべての技術的特徴に等価な置換を行うことができることを理解するべきである。
【符号の説明】
【０１７９】
11  処理モジュール
111  判断ユニット
112  処理ユニット
113  送信ユニット
12  送信モジュール
21  受信モジュール
31  受信モジュール
32  処理モジュール
33  送信モジュール
34  判断モジュール
41  処理モジュール
411  判断ユニット
412  処理ユニット
42  送信モジュール
43  受信モジュール
51  メモリ
52  プロセッサ
53  送信機
54  受信機
61  受信機
62  メモリ
63  プロセッサ
64  送信機
71  メモリ
72  プロセッサ
73  送信機
74  受信機
【図１】
2019115062.tif 000003
【図２】
2019115062.tif 000004
【図３】
2019115062.tif 000005
【図４】
2019115062.tif 000006
【図５】
2019115062.tif 000007
【図６】
2019115062.tif 000008
【図７】
2019115062.tif 000009
【図８】
2019115062.tif 000010
【図９】
2019115062.tif 000011
【図１０（ａ）】
2019115062.tif 000012
【図１０（ｂ）】
2019115062.tif 000013
【図１１】
2019115062.tif 000014
【図１２】
2019115062.tif 000015
【図１３】
2019115062.tif 000016
【図１４】
2019115062.tif 000017
【図１５】
2019115062.tif 000018
【図１６】
2019115062.tif 000019
【外国語明細書】
2019115062000001.pdf